(57)【要約】  この出願は、以下の既存の課題、すなわち、NFコンポーネントにおいて例外が発生するとき、NFコンポーネント間の手続メッセージ交換が影響され、その結果、EPCネットワークのネットワークサービス品質が低下する、という課題を解決するために、NFコンポーネントの例外を処理するための方法およびシステム、ならびにデバイスを提供し、通信技術の分野に関する。方法は、ユーザ機器、第1のNFコンポーネント、第2のNFコンポーネント、およびNFリポジトリ管理機能コンポーネントを含むネットワークに適用され、NFリポジトリ管理機能コンポーネントにより、第2のNFコンポーネントが属する集合の識別子を含むNF発見要求メッセージを受信するステップと、NFリポジトリ管理機能コンポーネントにより、第2のNFコンポーネントが属する集合の識別子に基づいて第2のNFコンポーネントと同じ機能を有する第3のNFコンポーネントがネットワーク内に存在することを判定するステップと、NFリポジトリ管理機能コンポーネントにより、第3のNFコンポーネントの識別子を含む第1のメッセージを第1のNFコンポーネントに送信するステップと、を含み、それによって、第1のNFコンポーネントは、ユーザ機器によって送信された、受信されたシグナリングを第3のNFコンポーネントに送信する。
2019536369.tif 000002
【特許請求の範囲】
【請求項１】
ネットワーク機能NFコンポーネントの例外を処理するための方法であって、前記方法が、ユーザ機器と、第1のNFコンポーネントと、第2のNFコンポーネントとを備えるネットワークに適用され、前記ユーザ機器が前記第1のNFコンポーネントを介して前記第2のNFコンポーネントと通信し、前記ネットワークがNFリポジトリ管理機能コンポーネントをさらに備え、前記方法が、
前記NFリポジトリ管理機能コンポーネントにより、NF発見要求メッセージを受信するステップであって、前記NF発見要求メッセージが、前記第2のNFコンポーネントが配置される前記ネットワーク内に代わりのNFコンポーネントが存在するかどうかを問い合わせるように前記NFリポジトリ管理機能コンポーネントに要求するために使用される、ステップと、
前記NFリポジトリ管理機能コンポーネントにより、前記ネットワーク内に代わりの第3のNFコンポーネントが存在することを判定するステップと、
前記NFリポジトリ管理機能コンポーネントにより、第1のメッセージを前記第1のNFコンポーネントに送信するステップであって、前記第1のメッセージが前記第3のNFコンポーネントの識別子を備え、前記第1のメッセージが、前記ユーザ機器によって送信された、受信されたシグナリングを前記第3のNFコンポーネントへ送信するように前記第1のNFコンポーネントに命令するために使用される、ステップと、
を備える方法。
【請求項２】
前記NFリポジトリ管理機能コンポーネントにより、NF発見要求メッセージを受信する前記ステップの前に、前記方法が、
前記NFリポジトリ管理機能コンポーネントにより、NF登録要求メッセージを受信するステップであって、前記NF登録要求メッセージが、前記ネットワーク内の各NFコンポーネントの識別子と、各NFコンポーネントに対応するNFタイプと、各NFコンポーネントが属する集合の識別子とを備える、ステップと、
前記NFリポジトリ管理機能コンポーネントにより、前記NF登録要求メッセージに基づいて少なくとも1つのNFコンポーネント集合を生成するステップであって、各NFコンポーネント集合がNFコンポーネントおよび前記NFコンポーネントの識別子を備え、同じNFコンポーネント集合に備えられるNFコンポーネントが同じタイプおよび集合識別子を有する、ステップと、
前記NFリポジトリ管理機能コンポーネントにより、NF登録応答メッセージを各NFコンポーネントに送信するステップと、
をさらに備える、請求項１に記載の方法。
【請求項３】
前記NF発見要求メッセージが、前記第2のNFコンポーネントが属する集合の識別子を備え、前記NFリポジトリ管理機能コンポーネントにより、前記ネットワーク内に代わりの第3のNFコンポーネントが存在することを判定する前記ステップが、
前記NFリポジトリ管理機能コンポーネントにより、前記少なくとも1つのNFコンポーネント集合を検索するステップと、
第1のNFコンポーネント集合が前記少なくとも1つのNFコンポーネント集合内に存在し、前記第1のNFコンポーネント集合の識別子が、前記第2のNFコンポーネントが属する前記集合の前記識別子と同じであり、前記第1のNFコンポーネント集合が前記第2のNFコンポーネント以外のNFコンポーネントを備えるならば、前記第2のNFコンポーネント以外の前記NFコンポーネントのいずれかを、前記代わりの第3のNFコンポーネントとして決定するステップと、
を備える、請求項１または２に記載の方法。
【請求項４】
前記NFリポジトリ管理機能コンポーネントにより、NF発見要求メッセージを受信する前記ステップが、
前記NFリポジトリ管理機能コンポーネントにより、前記第2のNFコンポーネントによって送信されるNF発見要求メッセージを受信するステップを備え、
前記NFリポジトリ管理機能コンポーネントにより、第1のメッセージを前記第1のNFコンポーネントに送信する前記ステップが、
前記NFリポジトリ管理機能コンポーネントにより、前記第2のNFコンポーネントを介してNF発見応答メッセージを前記第1のNFコンポーネントに送信するステップであって、前記NF発見応答メッセージが前記第3のNFコンポーネントの前記識別子を備える、ステップを備える、請求項１から３のいずれか一項に記載の方法。
【請求項５】
前記NFリポジトリ管理機能コンポーネントにより、NF発見要求メッセージを受信する前記ステップが、
前記NFリポジトリ管理機能コンポーネントにより、前記第1のNFコンポーネントによって送信されるNF発見要求メッセージを受信するステップを備える、請求項１から３のいずれか一項に記載の方法。
【請求項６】
ネットワーク機能NFコンポーネントの例外を処理するための方法であって、前記方法が、ユーザ機器と、第1のNFコンポーネントと、第2のNFコンポーネントとを備えるネットワークに適用され、前記ユーザ機器が前記第1のNFコンポーネントを介して前記第2のNFコンポーネントと通信し、前記ネットワークがNFリポジトリ管理機能コンポーネントをさらに備え、前記方法が、
前記第1のNFコンポーネントにより、前記NFリポジトリ管理機能コンポーネントによって送信される第1のメッセージを受信するステップであって、前記第1のメッセージが第3のNFコンポーネントの識別子を備え、前記第3のNFコンポーネントおよび前記第2のNFコンポーネントが同じNFコンポーネント集合に属し、同じNFコンポーネント集合内のNFコンポーネントが同じ機能を有する、ステップと、
前記第1のNFコンポーネントにより、前記ユーザ機器によって送信されるシグナリングを受信するステップと、
前記第1のNFコンポーネントにより、前記第3のNFコンポーネントの前記識別子に基づいて前記シグナリングを前記第3のNFコンポーネントに送信するステップと、
を備える方法。
【請求項７】
前記第1のNFコンポーネントにより、前記NFリポジトリ管理機能コンポーネントによって送信される第1のメッセージを受信する前記ステップの前に、前記方法が、
前記第1のNFコンポーネントにより、前記第2のNFコンポーネントがシャットダウンしていることを検出するステップと、
前記第1のNFコンポーネントにより、NF発見要求メッセージを前記NFリポジトリ管理機能コンポーネントに送信するステップであって、前記NF発見要求メッセージが、前記ネットワーク内に代わりのNFコンポーネントが存在するかどうかを問い合わせるように前記NFリポジトリ管理機能コンポーネントに要求するために使用される、ステップと、
をさらに備える、請求項６に記載の方法。
【請求項８】
前記第1のNFコンポーネントにより、前記NFリポジトリ管理機能コンポーネントによって送信される第1のメッセージを受信する前記ステップが、
前記第1のNFコンポーネントにより、前記第2のNFコンポーネントを介して、前記NFリポジトリ管理機能コンポーネントによって送信される前記第1のメッセージを受信するステップを備え、
前記第2のNFコンポーネントが前記NFリポジトリ管理機能コンポーネントによって送信されるNF発見応答メッセージを受信した後に、前記第1のメッセージが送信され、前記NF発見応答メッセージが前記第3のNFコンポーネントの前記識別子を備える、請求項６に記載の方法。
【請求項９】
前記第1のNFコンポーネントが前記第2のNFコンポーネントのコンテキストを記憶し、前記第2のNFコンポーネントの前記コンテキストが、前記第2のNFコンポーネントの識別子と、前記第2のNFコンポーネントと通信している少なくとも1つのユーザ機器の識別子とを備え、
前記シグナリングが前記ユーザ機器の識別子を備え、前記第1のNFコンポーネントにより、前記第3のNFコンポーネントの前記識別子に基づいて前記シグナリングを前記第3のNFコンポーネントに送信する前記ステップが、
前記第1のNFコンポーネントにより、前記第3のNFコンポーネントの前記識別子に基づいて前記第3のNFコンポーネントのコンテキストを作成するステップと、
前記ユーザ機器の前記識別子に基づいて前記第3のNFコンポーネントの前記コンテキストを検索し、前記シグナリングを前記第3のNFコンポーネントに送信するステップと、
を備える、請求項６から８のいずれか一項に記載の方法。
【請求項１０】
ネットワーク機能NFコンポーネントの例外を処理するための方法であって、前記方法が、ユーザ機器と、第1のNFコンポーネントと、第2のNFコンポーネントとを備えるネットワークに適用され、前記ユーザ機器が前記第1のNFコンポーネントを介して前記第2のNFコンポーネントと通信し、前記ネットワークがNFリポジトリ管理機能コンポーネントをさらに備え、前記方法が、
前記第2のNFコンポーネントにより、NF発見要求メッセージを前記NFリポジトリ管理機能コンポーネントに送信するステップであって、前記NF発見要求メッセージが、前記ネットワーク内に代わりのNFコンポーネントが存在するかどうかを問い合わせるように前記NFリポジトリ管理機能コンポーネントに要求するために使用される、ステップと、
前記第2のNFコンポーネントにより、前記NFリポジトリ管理機能コンポーネントによって送信されるNF発見応答メッセージを受信するステップであって、前記NF発見応答メッセージが第3のNFコンポーネントの識別子を備える、ステップと、
前記第2のNFコンポーネントにより、第1のメッセージを前記第1のNFコンポーネントに送信するステップであって、前記第1のメッセージが前記第3のNFコンポーネントの前記識別子を備え、前記第1のメッセージが、前記ユーザ機器によって送信された、受信されたシグナリングを前記第3のNFコンポーネントへ送信するように前記第1のNFコンポーネントに命令するために使用される、ステップと、
を備える方法。
【請求項１１】
前記第2のNFコンポーネントにより、NF発見要求メッセージを前記NFリポジトリ管理機能コンポーネントに送信する前記ステップの前に、前記方法が、
前記第2のNFコンポーネントにより、前記第2のNFコンポーネントが過負荷であることを検出するステップをさらに備える、請求項１０に記載の方法。
【請求項１２】
ネットワーク機能NFリポジトリ管理機能コンポーネントであって、
NF発見要求メッセージを受信するように構成された受信ユニットであって、前記NF発見要求メッセージが、第2のNFコンポーネントが配置されるネットワーク内に代わりのNFコンポーネントが存在するかどうかを問い合わせるように前記NFリポジトリ管理機能コンポーネントに要求するために使用される、受信ユニットと、
前記NFリポジトリ管理機能コンポーネントが配置される前記ネットワーク内に代わりの第3のNFコンポーネントが存在することを判定するように構成された判定ユニットと、
第1のメッセージを第1のNFコンポーネントに送信するように構成された送信ユニットであって、前記第1のメッセージが前記第3のNFコンポーネントの識別子を備え、前記第1のメッセージが、ユーザ機器によって送信された、受信されたシグナリングを前記第3のNFコンポーネントへ送信するように前記第1のNFコンポーネントに命令するために使用される、送信ユニットと、
を備えるNFリポジトリ管理機能コンポーネント。
【請求項１３】
前記受信ユニットが、
前記受信ユニットが前記NF発見要求メッセージを受信する前に、前記NFリポジトリ管理機能コンポーネントにより、NF登録要求メッセージを受信するようにさらに構成され、前記NF登録要求メッセージが、前記ネットワーク内の各NFコンポーネントの識別子と、各NFコンポーネントに対応するNFタイプと、各NFコンポーネントが属する集合の識別子とを備え、
前記NFリポジトリ管理機能コンポーネントが、
前記NF登録要求メッセージに基づいて少なくとも1つのNFコンポーネント集合を生成するように構成された生成ユニットをさらに備え、各NFコンポーネント集合が、NFコンポーネントおよび前記NFコンポーネントの識別子を備え、同じNFコンポーネント集合に備えられるNFコンポーネントが、同じタイプおよび集合識別子を有し、
前記送信ユニットが、NF登録応答メッセージを各NFコンポーネントに送信するようにさらに構成された、請求項１２に記載のNFリポジトリ管理機能コンポーネント。
【請求項１４】
前記NF発見要求メッセージが、前記第2のNFコンポーネントが属する集合の識別子を備え、前記判定ユニットが、具体的には、
前記少なくとも1つのNFコンポーネント集合を検索し、
第1のNFコンポーネント集合が前記少なくとも1つのNFコンポーネント集合内に存在し、前記第1のNFコンポーネント集合の識別子が、前記第2のNFコンポーネントが属する前記集合の前記識別子と同じであり、前記第1のNFコンポーネント集合が、前記第2のNFコンポーネント以外のNFコンポーネントを備えるならば、前記第2のNFコンポーネント以外の前記NFコンポーネントのいずれかを、前記代わりの第3のNFコンポーネントとして決定するように構成された、請求項１２または１３に記載のNFリポジトリ管理機能コンポーネント。
【請求項１５】
前記受信ユニットが、具体的には、
前記第2のNFコンポーネントによって送信されるNF発見要求メッセージを受信するように構成され、
前記送信ユニットが、具体的には、前記第2のNFコンポーネントを介してNF発見応答メッセージを前記第1のNFコンポーネントに送信するように構成され、前記NF発見応答メッセージが前記第3のNFコンポーネントの前記識別子を備える、請求項１２から１４のいずれか一項に記載のNFリポジトリ管理機能コンポーネント。
【請求項１６】
前記受信ユニットが、具体的には、
前記第1のNFコンポーネントによって送信されるNF発見要求メッセージを受信するように構成された、請求項１２から１４のいずれか一項に記載のNFリポジトリ管理機能コンポーネント。
【請求項１７】
第1のネットワーク機能NFコンポーネントであって、
NFリポジトリ管理機能コンポーネントによって送信される第1のメッセージを受信するように構成された受信ユニットであって、前記第1のメッセージが第3のNFコンポーネントの識別子を備え、前記第3のNFコンポーネントおよび第2のNFコンポーネントが同じNFコンポーネント集合に属し、同じNFコンポーネント集合内のNFコンポーネントが同じ機能を有し、前記第2のNFコンポーネントが前記ユーザ機器によって送信されるシグナリングを受信するように構成され、
前記受信ユニットが、前記ユーザ機器によって送信される前記シグナリングを受信するようにさらに構成された、受信ユニットと、
前記第3のNFコンポーネントの前記識別子に基づいて、前記シグナリングを前記第3のNFコンポーネントに送信するように構成された送信ユニットと、
を備える、第1のNFコンポーネント。
【請求項１８】
前記第1のNFコンポーネントが、
前記第2のNFコンポーネントがシャットダウンしていることを検出するように構成された検出ユニットをさらに備え、
前記送信ユニットが、前記受信ユニットが前記NFリポジトリ管理機能コンポーネントによって送信される前記第1のメッセージを受信する前に、NF発見要求メッセージを前記NFリポジトリ管理機能コンポーネントに送信するようにさらに構成され、前記NF発見要求メッセージが、ネットワーク内に代わりのNFコンポーネントが存在するかどうかを問い合わせるように前記NFリポジトリ管理機能コンポーネントに要求するために使用される、請求項１７に記載の第1のNFコンポーネント。
【請求項１９】
前記受信ユニットが、具体的には、
前記第2のNFコンポーネントを介して、前記NFリポジトリ管理機能コンポーネントによって送信される前記第1のメッセージを受信するように構成され、
前記第2のNFコンポーネントが前記NFリポジトリ管理機能コンポーネントによって送信されるNF発見応答メッセージを受信した後に、前記第1のメッセージが送信され、前記NF発見応答メッセージが前記第3のNFコンポーネントの前記識別子を備える、請求項１７に記載の第1のNFコンポーネント。
【請求項２０】
前記第1のNFコンポーネントが前記第2のNFコンポーネントのコンテキストを記憶し、前記第2のNFコンポーネントの前記コンテキストが、前記第2のNFコンポーネントの識別子と、前記第2のNFコンポーネントと通信する少なくとも1つのユーザ機器の識別子とを備え、前記シグナリングが前記ユーザ機器の識別子を備え、
前記第1のNFコンポーネントが、
前記第3のNFコンポーネントの前記識別子に基づいて前記第3のNFコンポーネントのコンテキストを作成するように構成された作成ユニットをさらに備え、
前記送信ユニットが、具体的には、
前記ユーザ機器の前記識別子に基づいて前記第3のNFコンポーネントの前記コンテキストを検索し、前記シグナリングを前記第3のNFコンポーネントに送信するように構成された、請求項１７から１９のいずれか一項に記載の第1のNFコンポーネント。
【請求項２１】
第2のネットワーク機能NFコンポーネントであって、
NF発見要求メッセージをNFリポジトリ管理機能コンポーネントに送信するように構成された送信ユニットであって、前記NF発見要求メッセージが、前記第2のNFコンポーネントが配置されるネットワーク内に代わりのNFコンポーネントが存在するかどうかを問い合わせるように前記NFリポジトリ管理機能コンポーネントに要求するために使用される、送信ユニットと、
前記NFリポジトリ管理機能コンポーネントによって送信されるNF発見応答メッセージを受信するように構成された受信ユニットであって、前記NF発見応答メッセージが第3のNFコンポーネントの識別子を備える、受信ユニットと、を備え、
前記送信ユニットが、第1のメッセージを第1のNFコンポーネントに送信するようにさらに構成され、前記第1のメッセージが前記第3のNFコンポーネントの前記識別子を備え、前記第1のメッセージが、前記ユーザ機器によって送信された、受信されたシグナリングを前記第3のNFコンポーネントへ送信するように前記第1のNFコンポーネントに命令するために使用される、第2のNFコンポーネント。
【請求項２２】
前記第2のNFコンポーネントが、前記送信ユニットが前記NF発見要求メッセージを前記NFリポジトリ管理機能コンポーネントに送信する前に、前記第2のNFコンポーネントが過負荷であることを検出するように構成された検出ユニットをさらに備える、請求項２１に記載の第2のNFコンポーネント。
【請求項２３】
ネットワーク機能NFリポジトリ管理機能コンポーネントであって、
NF発見要求メッセージを受信するように構成された通信インターフェースであって、前記NF発見要求メッセージが、前記第2のNFコンポーネントが配置されるネットワーク内に代わりのNFコンポーネントが存在するかどうかを問い合わせるように前記NFリポジトリ管理機能コンポーネントに要求するために使用される、通信インターフェースと、
前記NFリポジトリ管理機能コンポーネントが配置される前記ネットワーク内に代わりの第3のNFコンポーネントが存在することを判定するように構成されたプロセッサと、を備え、
前記通信インターフェースが、第1のメッセージを第1のNFコンポーネントに送信するようにさらに構成され、前記第1のメッセージが前記第3のNFコンポーネントの識別子を備え、前記第1のメッセージが、ユーザ機器によって送信された、受信されたシグナリングを前記第3のNFコンポーネントへ送信するように前記第1のNFコンポーネントに命令するために使用される、NFリポジトリ管理機能コンポーネント。
【請求項２４】
前記通信インターフェースが、
前記通信インターフェースが前記NF発見要求メッセージを受信する前に、前記NFリポジトリ管理機能コンポーネントにより、NF登録要求メッセージを受信するようにさらに構成され、前記NF登録要求メッセージが、前記ネットワーク内の各NFコンポーネントの識別子と、各NFコンポーネントに対応するNFタイプと、各NFコンポーネントが属する集合の識別子とを備え、
前記プロセッサが、前記NF登録要求メッセージに基づいて少なくとも1つのNFコンポーネント集合を生成するようにさらに構成され、各NFコンポーネント集合が、NFコンポーネントおよび前記NFコンポーネントの識別子を備え、同じNFコンポーネント集合に備えられるNFコンポーネントが同じタイプおよび集合識別子を有し、
前記通信インターフェースが、NF登録応答メッセージを各NFコンポーネントに送信するようにさらに構成された、請求項２３に記載のNFリポジトリ管理機能コンポーネント。
【請求項２５】
前記NF発見要求メッセージが、前記第2のNFコンポーネントが属する集合の識別子を備え、前記プロセッサが、具体的には、
前記少なくとも1つのNFコンポーネント集合を検索し、
第1のNFコンポーネント集合が前記少なくとも1つのNFコンポーネント集合内に存在し、前記第1のNFコンポーネント集合の識別子が、前記第2のNFコンポーネントが属する前記集合の前記識別子と同じであり、前記第1のNFコンポーネント集合が、前記第2のNFコンポーネント以外のNFコンポーネントを備えるならば、前記第2のNFコンポーネント以外の前記NFコンポーネントのいずれかを、前記代わりの第3のNFコンポーネントとして決定するように構成された、請求項２３または２４に記載のNFリポジトリ管理機能コンポーネント。
【請求項２６】
前記通信インターフェースが、具体的には、
前記第2のNFコンポーネントによって送信されるNF発見要求メッセージを受信するように構成され、
前記通信インターフェースが、具体的には、前記第2のNFコンポーネントを介してNF発見応答メッセージを前記第1のNFコンポーネントに送信するように構成され、前記NF発見応答メッセージが前記第3のNFコンポーネントの前記識別子を備える、請求項２３から２５のいずれか一項に記載のNFリポジトリ管理機能コンポーネント。
【請求項２７】
前記通信インターフェースが、具体的には、
前記第1のNFコンポーネントによって送信されるNF発見要求メッセージを受信するように構成された、請求項２３から２５のいずれか一項に記載のNFリポジトリ管理機能コンポーネント。
【請求項２８】
第1のネットワーク機能NFコンポーネントであって、
NFリポジトリ管理機能コンポーネントによって送信される第1のメッセージを受信するように構成された通信インターフェースであって、前記第1のメッセージが第3のNFコンポーネントの識別子を備え、前記第3のNFコンポーネントおよび第2のNFコンポーネントが同じNFコンポーネント集合に属し、同じNFコンポーネント集合内のNFコンポーネントが同じ機能を有し、前記第2のNFコンポーネントがユーザ機器によって送信されるシグナリングを受信するように構成され、
前記通信インターフェースが、前記ユーザ機器によって送信される前記シグナリングを受信するようにさらに構成された、通信インターフェースと、
前記通信インターフェースを介して、前記第3のNFコンポーネントの前記識別子に基づいて、前記シグナリングを前記第3のNFコンポーネントに送信するように構成されたプロセッサと、
を備える第1のNFコンポーネント。
【請求項２９】
前記プロセッサが、前記第2のNFコンポーネントがシャットダウンしていることを検出するようにさらに構成され、
前記通信インターフェースが、前記通信インターフェースが前記NFリポジトリ管理機能コンポーネントによって送信される前記第1のメッセージを受信する前に、NF発見要求メッセージを前記NFリポジトリ管理機能コンポーネントに送信するようにさらに構成され、前記NF発見要求メッセージが、前記ネットワーク内に代わりのNFコンポーネントが存在するかどうかを問い合わせるように前記NFリポジトリ管理機能コンポーネントに要求するために使用される、請求項２８に記載の第1のNFコンポーネント。
【請求項３０】
前記通信インターフェースが、具体的には、
前記第2のNFコンポーネントを介して、前記NFリポジトリ管理機能コンポーネントによって送信される前記第1のメッセージを受信するように構成され、
前記第2のNFコンポーネントが前記NFリポジトリ管理機能コンポーネントによって送信されるNF発見応答メッセージを受信した後に、前記第1のメッセージが送信され、前記NF発見応答メッセージが前記第3のNFコンポーネントの前記識別子を備える、請求項２８に記載の第1のNFコンポーネント。
【請求項３１】
前記第1のNFコンポーネントが前記第2のNFコンポーネントのコンテキストを記憶し、前記第2のNFコンポーネントの前記コンテキストが、前記第2のNFコンポーネントの識別子と、前記第2のNFコンポーネントと通信する少なくとも1つのユーザ機器の識別子とを備え、前記シグナリングが前記ユーザ機器の識別子を備え、
前記プロセッサが、前記第3のNFコンポーネントの前記識別子に基づいて前記第3のNFコンポーネントのコンテキストを作成するようにさらに構成され、
前記通信インターフェースが、具体的には、前記ユーザ機器の前記識別子に基づいて前記第3のNFコンポーネントの前記コンテキストを検索し、前記シグナリングを前記第3のNFコンポーネントに送信するように構成された、請求項２８から３０のいずれか一項に記載の第1のNFコンポーネント。
【請求項３２】
第2のネットワーク機能NFコンポーネントであって、
NF発見要求メッセージをNFリポジトリ管理機能コンポーネントに送信するように構成された通信インターフェースであって、前記NF発見要求メッセージが、前記第2のNFコンポーネントが配置されるネットワーク内に代わりのNFコンポーネントが存在するかどうかを問い合わせるように前記NFリポジトリ管理機能コンポーネントに要求するために使用される、通信インターフェースを備え、
前記通信インターフェースが、前記NFリポジトリ管理機能コンポーネントによって送信されるNF発見応答メッセージを受信するように構成され、前記NF発見応答メッセージが第3のNFコンポーネントの識別子を備え、
前記通信インターフェースが、第1のメッセージを第1のNFコンポーネントに送信するようにさらに構成され、前記第1のメッセージが前記第3のNFコンポーネントの前記識別子を備え、前記第1のメッセージが、前記ユーザ機器によって送信された、受信されたシグナリングを前記第3のNFコンポーネントへ送信するように前記第1のNFコンポーネントに命令するために使用される、第2のNFコンポーネント。
【請求項３３】
前記第2のNFコンポーネントが、
前記通信インターフェースが前記NF発見要求メッセージを前記NFリポジトリ管理機能コンポーネントに送信する前に、前記第2のNFコンポーネントが過負荷であることを検出するように構成されたプロセッサをさらに備える、請求項３２に記載の第2のNFコンポーネント。
【請求項３４】
請求項12から16のいずれか一項に記載のネットワーク機能NFリポジトリ管理機能コンポーネントと、請求項17から20のいずれか一項に記載の第1のNFコンポーネントと、請求項21と22のいずれかに記載の第2のNFコンポーネントとを備える、または、
請求項23から27のいずれか一項に記載のNFリポジトリ管理機能コンポーネントと、請求項28から31のいずれか一項に記載の第1のNFコンポーネントと、請求項32と33のいずれかに記載の第2のNFコンポーネントとを備える、
NFコンポーネントの例外を処理するためのシステム。
【請求項３５】
ネットワーク機能NFコンポーネントの例外を処理するための方法であって、
NFリポジトリ管理機能コンポーネントにより、代わりのNFコンポーネントを問い合わせることを要求するために、第1のネットワーク要素によって送信される第2のNFコンポーネントの集合識別子を受信するステップと、
前記NFリポジトリ管理機能コンポーネントにより、前記第2のNFコンポーネントの前記集合識別子に基づいて代わりの第3のNFコンポーネントの識別子を発見するステップであって、前記第3のNFコンポーネントおよび前記第2のNFコンポーネントが同じNFコンポーネント集合に属する、ステップと、
前記NFリポジトリ管理機能コンポーネントにより、前記第3のNFコンポーネントの前記識別子を前記第1のネットワーク要素に送信するステップと、
を備える方法。
【請求項３６】
前記NFリポジトリ管理機能コンポーネントにより、前記第2のNFコンポーネントの前記集合識別子に基づいて代わりの第3のNFコンポーネントの識別子を発見する前記ステップが、
前記NFリポジトリ管理機能コンポーネントにより、前記第2のNFコンポーネントの前記集合識別子に基づいて、前記第2のNFコンポーネントが属するNFコンポーネント集合を知り、前記第2のNFコンポーネントが属する前記NFコンポーネント集合から、1つ以上のNFコンポーネントを前記代わりの第3のNFコンポーネントとして選択するステップを備える、請求項３５に記載の方法。
【請求項３７】
前記第1のネットワーク要素が、第1のNFコンポーネント、前記第2のNFコンポーネント、またはアクセスネットワークである、請求項３５または３６に記載の方法。
【請求項３８】
前記第1のネットワーク要素がアクセスネットワークであるとき、NFリポジトリ管理機能コンポーネントにより、第1のネットワーク要素によって送信される第2のNFコンポーネントの集合識別子を受信する前記ステップが、前記NFリポジトリ管理機能コンポーネントにより、NF発見管理機能を介して前記アクセスネットワークによって送信される前記第2のNFコンポーネントの前記集合識別子を受信するステップを備え、
前記NFリポジトリ管理機能コンポーネントにより、前記第3のNFコンポーネントの前記識別子を前記第1のネットワーク要素に送信する前記ステップが、前記NFリポジトリ管理機能コンポーネントにより、前記NF発見管理機能を介して前記第3のNFコンポーネントの前記識別子を前記アクセスネットワークに送信するステップを備える、請求項３７に記載の方法。
【請求項３９】
前記第1のネットワーク要素が前記第2のNFコンポーネントであるとき、前記方法が、
前記第2のNFコンポーネントにより、前記第3のNFコンポーネントの前記識別子をアクセスネットワークに送信するステップをさらに備える、請求項３７に記載の方法。
【請求項４０】
前記方法が、前記NFリポジトリ管理機能コンポーネントにより、ネットワーク管理機能サーバまたはNFコンポーネントから登録要求メッセージを受信するステップであって、前記登録要求メッセージが、NFコンポーネントの識別子および前記NFコンポーネントの集合識別子を備える、ステップをさらに備える、請求項３５から３９のいずれか一項に記載の方法。
【請求項４１】
前記NFコンポーネントが前記第2のNFコンポーネントおよび前記第3のNFコンポーネントを備える、請求項４０に記載の方法。
【請求項４２】
ネットワーク機能NFコンポーネントの例外を処理するための方法であって、
第1のネットワーク要素により、第2のNFコンポーネントがサービスを提供することができないことを知るステップと、
前記第1のネットワーク要素により、前記第2のNFコンポーネントの集合識別子を取得し、代わりのNFコンポーネントを問い合わせることを要求するために、前記第2のNFコンポーネントの前記集合識別子をNFリポジトリ管理機能コンポーネントに送信するステップと、
前記第1のネットワーク要素により、前記NFリポジトリ管理機能コンポーネントによって返される代わりの第3のNFコンポーネントの識別子を受信するステップであって、前記第3のNFコンポーネントおよび前記第2のNFコンポーネントが同じNFコンポーネント集合に属する、ステップと、
前記第1のネットワーク要素により、前記第3のNFコンポーネントがユーザ機器のためにサービスを提供することを決定するステップと、
を備える方法。
【請求項４３】
前記第1のネットワーク要素により、前記第2のNFコンポーネントの集合識別子を取得することが、
前記第2のNFコンポーネントの前記集合識別子をローカルに取得すること、または、
前記第1のネットワーク要素により、前記第2のNFコンポーネントの前記集合識別子を搬送する、前記ユーザ機器によって送信されるメッセージを受信し、前記メッセージ内で搬送される前記第2のNFコンポーネントの前記集合識別子を取得すること
を備える、請求項４２に記載の方法。
【請求項４４】
前記第1のネットワーク要素が、第1のNFコンポーネント、前記第2のNFコンポーネント、またはアクセスネットワークである、請求項４２または４３に記載の方法。
【請求項４５】
前記第1のネットワーク要素がアクセスネットワークであるとき、前記第1のネットワーク要素により、前記第2のNFコンポーネントの前記集合識別子をNFリポジトリ管理機能コンポーネントに送信する前記ステップが、前記アクセスネットワークにより、NF発見管理機能を介して前記第2のNFコンポーネントの前記集合識別子を前記NFリポジトリ管理機能コンポーネントに送信するステップを備え、
前記第1のネットワーク要素により、前記NFリポジトリ管理機能コンポーネントによって返される代わりの第3のNFコンポーネントの識別子を受信する前記ステップが、前記アクセスネットワークにより、前記NF発見管理機能を介して、前記NFリポジトリ管理機能コンポーネントによって返される前記代わりの第3のNFコンポーネントの前記識別子を受信するステップを備える、請求項４４に記載の方法。
【請求項４６】
前記第1のネットワーク要素が前記第2のNFコンポーネントであるとき、前記方法が、
前記第2のNFコンポーネントにより、前記第3のNFコンポーネントの前記識別子をアクセスネットワークに送信するステップをさらに備える、請求項４４に記載の方法。
【請求項４７】
前記第1のネットワーク要素により、前記第3のNFコンポーネントがユーザ機器のためにサービスを提供することを決定する前記ステップが、
前記第1のネットワーク要素により、前記第2のNFコンポーネントに送信されるべき情報を取得するステップと、
前記第1のネットワーク要素により、前記第2のNFコンポーネントに送信されるべき前記情報を前記第3のNFコンポーネントに送信するステップと、
を備える、請求項４２から４６のいずれか一項に記載の方法。
【請求項４８】
前記第1のネットワーク要素により、前記第3のNFコンポーネントがユーザ機器のためにサービスを提供することを決定する前記ステップが、
前記第1のネットワーク要素により、前記ユーザ機器と前記第2のNFコンポーネントの間の対応関係を、前記ユーザ機器と前記第3のNFコンポーネントの間の対応関係に更新するステップを備える、請求項４２から４６に記載の方法。
【請求項４９】
ネットワーク機能NFリポジトリ管理機能コンポーネントであって、
代わりのNFコンポーネントを問い合わせることを要求するために、第1のネットワーク要素によって送信される第2のNFコンポーネントの集合識別子を受信するように構成された受信ユニットと、
前記第2のNFコンポーネントの前記集合識別子に基づいて代わりの第3のNFコンポーネントの識別子を発見するように構成された処理ユニットであって、前記第3のNFコンポーネントおよび前記第2のNFコンポーネントが同じNFコンポーネント集合に属する、処理ユニットと、
前記第3のNFコンポーネントの前記識別子を前記第1のネットワーク要素に送信するように構成された送信ユニットと、
を備えるNFリポジトリ管理機能コンポーネント。
【請求項５０】
前記処理ユニットが、具体的には、前記第2のNFコンポーネントの前記集合識別子に基づいて、前記第2のNFコンポーネントが属するNFコンポーネント集合を知り、前記第2のNFコンポーネントが属する前記NFコンポーネント集合から、1つ以上のNFコンポーネントを前記代わりの第3のNFコンポーネントとして選択するように構成された、請求項４９に記載のNFリポジトリ管理機能コンポーネント。
【請求項５１】
前記第1のネットワーク要素が、第1のNFコンポーネント、前記第2のNFコンポーネント、またはアクセスネットワークである、請求項４９または５０に記載のNFリポジトリ管理機能コンポーネント。
【請求項５２】
前記第1のネットワーク要素がアクセスネットワークであるとき、前記受信ユニットが、具体的には、NF発見管理機能を介して前記アクセスネットワークによって送信される前記第2のNFコンポーネントの前記集合識別子を受信するように構成され、
前記送信ユニットが、具体的には、前記NF発見管理機能を介して前記第3のNFコンポーネントの前記識別子を前記アクセスネットワークに送信するように構成された、請求項５１に記載のNFリポジトリ管理機能コンポーネント。
【請求項５３】
前記第1のネットワーク要素が前記第2のNFコンポーネントであるとき、前記送信ユニットが、前記第3のNFコンポーネントの前記識別子をアクセスネットワークに送信するようにさらに構成された、請求項５１に記載のNFリポジトリ管理機能コンポーネント。
【請求項５４】
前記受信ユニットが、ネットワーク管理機能サーバまたはNFコンポーネントから登録要求メッセージを受信するように構成され、前記登録要求メッセージが、NFコンポーネントの識別子および前記NFコンポーネントの集合識別子を備える、請求項４９から５３のいずれか一項に記載のNFリポジトリ管理機能コンポーネント。
【請求項５５】
第1のネットワーク要素であって、
第2のNFコンポーネントの集合識別子を取得するように構成された処理ユニットと、
代わりのNFコンポーネントを問い合わせることを要求するために、前記第2のNFコンポーネントの前記集合識別子をNFリポジトリ管理機能コンポーネントに送信するように構成された送信ユニットと、
前記NFリポジトリ管理機能コンポーネントによって返される代わりの第3のNFコンポーネントの識別子を受信するように構成された受信ユニットであって、前記第3のNFコンポーネントおよび前記第2のNFコンポーネントが同じNFコンポーネント集合に属する、受信ユニットと、を備え、
前記処理ユニットが、前記第2のNFコンポーネントがサービスを提供することができないことを知り、前記第3のNFコンポーネントがユーザ機器のためにサービスを提供することを決定するようにさらに構成された、第1のネットワーク要素。
【請求項５６】
前記処理ユニットが、具体的には、前記第2のNFコンポーネントの前記集合識別子をローカルに取得するように構成され、または、
前記受信ユニットが前記ユーザ機器によって送信されるメッセージを受信し、前記メッセージが前記第2のNFコンポーネントの前記集合識別子を搬送するならば、前記処理ユニットが、具体的には、前記メッセージ内で搬送される前記第2のNFコンポーネントの前記集合識別子を取得するように構成された、請求項５５に記載の第1のネットワーク要素。
【請求項５７】
前記第1のネットワーク要素が、第1のNFコンポーネント、前記第2のNFコンポーネント、またはアクセスネットワークである、請求項５５または５６に記載の第1のネットワーク要素。
【請求項５８】
前記第1のネットワーク要素がアクセスネットワークであるとき、前記送信ユニットが、具体的には、NF発見管理機能を介して前記第2のNFコンポーネントの前記集合識別子を前記NFリポジトリ管理機能コンポーネントに送信するように構成され、
前記受信ユニットが、具体的には、前記NF発見管理機能を介して、前記NFリポジトリ管理機能コンポーネントによって返される前記代わりの第3のNFコンポーネントの前記識別子を受信するように構成された、請求項５７に記載の第1のネットワーク要素。
【請求項５９】
前記第1のネットワーク要素が前記第2のNFコンポーネントであるとき、前記送信ユニットが、前記第3のNFコンポーネントの前記識別子をアクセスネットワークに送信するようにさらに構成された、請求項５７に記載の第1のネットワーク要素。
【請求項６０】
前記処理ユニットが、前記第3のNFコンポーネントがユーザ機器のためにサービスを提供することを決定することが、
前記第2のNFコンポーネントに送信されるべき情報を取得することと、
前記第2のNFコンポーネントに送信されるべき前記情報を前記第3のNFコンポーネントに送信することと、を備える、請求項５５から５９のいずれか一項に記載の第1のネットワーク要素。
【請求項６１】
前記処理ユニットが、前記ユーザ機器と前記第2のNFコンポーネントの間の対応関係を、前記ユーザ機器と前記第3のNFコンポーネントの間の対応関係に更新するように構成された、請求項５５から５９に記載の第1のネットワーク要素。
【発明の詳細な説明】
【技術分野】
【０００１】
この出願は、2016年11月21日に中国特許庁に出願された、発明の名称を「NFコンポーネントの例外を処理するための方法およびシステム、ならびにデバイス」とする特許出願第PCT/CN2016/106685号の優先権を主張し、その全体が参照によりここに組み込まれる。
【０００２】
本発明は、通信技術の分野、詳細には、ネットワーク機能(英語:Network Function、NF)コンポーネントの例外を処理するための方法およびシステム、ならびにデバイスに関する。
【背景技術】
【０００３】
現在、進化型パケットコア(英語:Evolved Packet Core、EPC)ネットワーク内に実現されるネットワークサービス(モビリティ管理機能、ベアラ管理機能、および位置管理機能など)は、EPCネットワーク内のネットワーク要素(英語:Network Element、NE)に固有であるサービスの特徴および処理論理を介して、NE間の手続メッセージ交換を通じて実現される。たとえば、ユーザのアクセスサービスは、標準化されたサービス手続論理を介して、EPCネットワーク内のモビリティ管理エンティティ(英語:Mobility Management Entity、MME)、サービングゲートウェイ(英語:Serving Gateway、S-GW)、パケットデータネットワークゲートウェイ(英語:Packet Data Network Gateway、P-GW)、ポリシーおよび課金ルール機能(英語:Policy and Charging Rules Function、PCRF)、およびホーム加入者サーバ(英語:Home Subscriber Server、HSS)の間での協調を通じて完了される必要がある。
【０００４】
ビジネスモデルの継続的な拡大および技術の継続的な開発とともに、ユーザのサービス要件はそれに従って変化し、それによって、より多くのサービスモードおよびより良いサービスの特徴が要求される。たとえば、超低遅延通信に対する要件または高信頼性通信に対する要件がある。ユーザのサービス要件の変化とともに、ネットワークにおける様々なネットワークサービスに対する要件がある。しかしながら、EPCネットワークによって提供されるネットワークサービスは、すべてのNEに固有であり、分散されている。この場合、新しいネットワーク機能がユーザのサービス要件をサポートするために導入される必要があるならば、EPCネットワークは、NEの処理論理および手続相互作用を再定義し、再設計する必要がある。しかしながら、再設計はデバイスの製造業者に対して長い開発期間および高いコストを意味し、事業者が新しいネットワークサービスをタイムリーな方式で配備することができないことを意味する。
【０００５】
課題を解決し、未来のネットワーク要件を満たすために、先行技術における当業者は通常、コアネットワーク内のNEを機能タイプに基づいて異なるNFコンポーネントに分割する。たとえば、MMEは、認証およびセキュリティ機能を有するNFコンポーネント、セッション管理機能を有するNFコンポーネント、モビリティ管理機能を有するNFコンポーネント、およびアクセス制御機能を有するNFコンポーネントに分割される。機能が互いに切り離され独立であるNFコンポーネントは、コアネットワークによって提供されるネットワークサービスを完了するために、NFコンポーネントによってサポートされるサービスインターフェースを介して別のNFコンポーネントと手続メッセージを交換する。しかしながら、元のNEが異なるNFコンポーネントに分割された後に、例外(過負荷または不具合など)がNFコンポーネントの1つにおいて発生するならば、NFコンポーネント間の手続メッセージ交換が影響され、その結果、ネットワーク全体のネットワークサービス品質が低下する。
【発明の概要】
【課題を解決するための手段】
【０００６】
この出願は、以下の既存の課題を解決するために、NFコンポーネントの例外を処理するための方法およびシステム、ならびにデバイスを提供する。その課題とは、例外がNFコンポーネントにおいて発生するとき、NFコンポーネント間での手続メッセージ交換が影響され、ネットワークのネットワークサービス品質が低下することである。
【０００７】
上記の目的を達成するために、以下の技術的解決策がこの出願において使用される。
【０００８】
第1の態様によれば、この出願は、ネットワーク機能NFコンポーネントの例外を処理するための方法を提供し、方法は、ユーザ機器、第1のNFコンポーネント、および第2のNFコンポーネントを含むネットワークに適用されることが可能であり、ユーザ機器は、第1のNFコンポーネントを介して第2のNFコンポーネントと通信し、ネットワークは、NFリポジトリ管理機能コンポーネントをさらに含み、方法は、
NFリポジトリ管理機能コンポーネントにより、第2のNFコンポーネントが配置されるネットワーク内に代わりのNFコンポーネントが存在するかどうかを問い合わせるようにNFリポジトリ管理機能コンポーネントに要求するために使用される、NF発見要求メッセージを受信するステップと、NFリポジトリ管理機能コンポーネントにより、代わりの第3のNFコンポーネントがネットワーク内に存在することを判定するステップと、NFリポジトリ管理機能コンポーネントにより、第1のメッセージを第1のNFコンポーネントに送信するステップであって、第1のメッセージは第3のNFコンポーネントの識別子を含み、第1のメッセージは、ユーザ機器によって送信された、受信されたシグナリングを第3のNFコンポーネントへ送信するように第1のNFコンポーネントに命令するために使用される、ステップと、を含む。
【０００９】
代わりのNFコンポーネントは、第2のNFコンポーネントと同じ機能を有し、第2のNFコンポーネントと同じコンポーネント集合内にある、NFコンポーネントであり得る。
【００１０】
従って、第2のNFコンポーネントが不具合である(たとえば、過負荷または不具合である)とき、NFリポジトリ管理機能コンポーネントは、第2のNFコンポーネントと同じ機能を有する第3のコンポーネントを決定し、当初は第2のNFコンポーネントへ転送されるべきシグナリングを第3のNFコンポーネントへ転送するように第1のNFコンポーネントに命令することが可能であり、それによって、第3のNFコンポーネントがシグナリングを処理する。従って、第2のNFコンポーネントが不具合であるとき、手続メッセージは、依然として、NFコンポーネント間で適切に交換されることができることが保証され、ネットワークのネットワークサービス品質が保証される。
【００１１】
第1の態様を参照して、第1の態様の可能な実装において、NFリポジトリ管理機能コンポーネントは、第2のNFコンポーネントが属する集合の識別子に基づいて、代わりの第3のNFコンポーネントを決定し得る。具体的には、NFリポジトリ管理機能コンポーネントは、少なくとも1つのNFコンポーネント集合をあらかじめ記憶してもよく、NF発見要求メッセージは、第2のNFコンポーネントが属する集合の識別子を含んでもよい。
【００１２】
第2のNFコンポーネントが属する集合の識別子を含むNF発見要求メッセージを受信した後に、NFリポジトリ管理機能コンポーネントは、少なくとも1つのNFコンポーネント集合を検索する。第1のNFコンポーネント集合が少なくとも1つのNFコンポーネント集合内に存在するならば、第1のNFコンポーネント集合の識別子は、第2のNFコンポーネントが属する集合の識別子と同じであり、第1のNFコンポーネント集合は第2のNFコンポーネント以外のNFコンポーネントを含み、NFリポジトリ管理機能コンポーネントは、第2のNFコンポーネント以外のNFコンポーネントのいずれかを、代わりの第3のNFコンポーネントとして決定する。
【００１３】
従って、ユーザ機器によって送信されるシグナリングを受信するために、代わりのNFコンポーネントが、少なくとも1つのあらかじめ記憶されたコンポーネント集合内で発見されることが可能であり、代わりのNFコンポーネントが手続メッセージ交換を実現する。
【００１４】
第1の態様の先の可能な実装を参照して、第1の態様の別の可能な実装において、NFリポジトリ管理機能コンポーネントは、以下の方式で少なくとも1つのNFコンポーネント集合をあらかじめ記憶し得る。
【００１５】
NFリポジトリ管理機能コンポーネントは、第2のNFコンポーネントが配置されるネットワーク内の各NFコンポーネントの識別子と、各NFコンポーネントに対応するNFタイプと、各NFコンポーネントが属する集合の識別子とを含む、NF登録要求メッセージを受信し、NF登録要求メッセージに基づいて少なくとも1つのNFコンポーネント集合を生成し、各NFコンポーネント集合がNFコンポーネントおよびNFコンポーネントの識別子を含み、同じNFコンポーネント集合内に含まれるNFコンポーネントが同じタイプおよび集合識別子を有し、コンポーネント集合を生成した後に、NF登録応答メッセージを各NFコンポーネントに送信する。
【００１６】
従って、ネットワーク内の各NFコンポーネントの関連する情報(たとえば、コンポーネントの識別子およびコンポーネントが属する集合の識別子)は、NFリポジトリ管理機能コンポーネント内にあらかじめ記憶されることが可能であり、それによって、NF発見要求メッセージを受信した後に、NFリポジトリ管理機能コンポーネントは、代わりのNFコンポーネントを発見する。
【００１７】
第1の態様または第1の態様の可能な実装のいずれか1つを参照して、第1の態様の別の可能な実装において、第2のNFコンポーネントが不具合である(たとえば、過負荷である)ことを第2のNFコンポーネントが検出し得る。
【００１８】
第2のNFコンポーネントが不具合であることを第2のNFコンポーネントが検出するとき、NFリポジトリ管理機能コンポーネントは、第2のNFコンポーネントによって送信されるNF発見要求メッセージを受信することが可能であり、NF発見要求メッセージを受信し、代わりの第3のNFコンポーネントを発見した後に、NFリポジトリ管理機能コンポーネントは、第2のNFコンポーネントを介して第1のメッセージを第1のNFコンポーネントに送信する。
【００１９】
従って、NFリポジトリ管理機能コンポーネントは、第2のNFコンポーネントによって送信されるメッセージを介して、第2のNFコンポーネントが不具合であることを知り、第2のNFコンポーネントを介して、作動のために第2のNFコンポーネントを置換することができる具体的なNFコンポーネントを第1のNFコンポーネントに通知し得る。
【００２０】
第1の態様または第1の態様の可能な実装のいずれか1つを参照して、第1の態様の別の可能な実装において、第2のNFコンポーネントが不具合である(たとえば、シャットダウンしている)ことを第1のNFコンポーネントが検出し得る。
【００２１】
第2のNFコンポーネントが不具合であることを第1のNFコンポーネントが検出するとき、NFリポジトリ管理機能コンポーネントは、第1のNFコンポーネントによって送信されるNF発見要求メッセージを直接受信することが可能であり、NF発見要求メッセージを受信し、代わりの第3のNFコンポーネントを発見した後に、NFリポジトリ管理機能コンポーネントは、第1のメッセージを第1のNFコンポーネントに直接送信する。
【００２２】
従って、NFリポジトリ管理機能コンポーネントは、第1のNFコンポーネントによって送信されたメッセージを介して、第2のNFコンポーネントが不具合であることを知り、代わりのNFコンポーネントを決定した後に、作動のために第2のNFコンポーネントを置換することができる具体的なNFコンポーネントを第1のNFコンポーネントに直接通知することが可能である。
【００２３】
第2の態様によれば、この出願は、ネットワーク機能NFコンポーネントの例外を処理するための方法をさらに提供し、方法は、ユーザ機器、第1のNFコンポーネント、および第2のNFコンポーネントを含むネットワークに適用されることが可能であり、ユーザ機器は第1のNFコンポーネントを介して第2のNFコンポーネントと通信し、ネットワークはNFリポジトリ管理機能コンポーネントをさらに含み、方法は、
第1のNFコンポーネントにより、第3のNFコンポーネントの識別子を含み、NFリポジトリ管理機能コンポーネントによって送信される第1のメッセージを受信するステップであって、第3のNFコンポーネントおよび第2のNFコンポーネントが同じNFコンポーネント集合に属し、同じNFコンポーネント集合内のNFコンポーネントが同じ機能を有する、ステップと、第1のNFコンポーネントにより、ユーザ機器によって送信されるシグナリングを受信するステップと、第3のNFコンポーネントの識別子に基づいてシグナリングを第3のNFコンポーネントに送信するステップと、を含み得る。
【００２４】
従って、第2のNFコンポーネントが不具合である(たとえば、過負荷または不具合である)とき、シグナリングは、第2のNFコンポーネントと同じ機能を有し、NFリポジトリ管理機能コンポーネントによって決定される第3のコンポーネントに送信され得る。従って、第2のNFコンポーネントが不具合であるとき、手続メッセージは、依然として、NFコンポーネント間で適切に交換されることができることが保証され、ネットワークのネットワークサービス品質が保証される。
【００２５】
第2の態様を参照して、第2の態様の可能な実装において、第1のNFコンポーネントがNFリポジトリ管理機能コンポーネントによって送信される第1のメッセージを受信する前に、第1のNFコンポーネントは、第2のNFコンポーネントが不具合である(たとえば、シャットダウンしている)ことを検出することが可能であり、代わりのNFコンポーネントがネットワーク内に存在するかどうかを問い合わせるようにNFリポジトリ管理機能コンポーネントに要求するために使用されるNF発見要求メッセージを、NFリポジトリ管理機能コンポーネントに送信する。
【００２６】
従って、NFリポジトリ管理機能コンポーネントは、第1のNFコンポーネントによって送信されるメッセージを介して、第2のNFコンポーネントが不具合であることを知ることが可能であり、それによって、メッセージを受信した後に、NFリポジトリ管理機能コンポーネントが代わりのNFコンポーネントを決定する。
【００２７】
第2の態様を参照して、第2の態様の可能な実装において、第2のNFコンポーネントが不具合である(たとえば、過負荷である)ことを第2のNFコンポーネントが検出し得る。第2のNFコンポーネントが不具合であることを第2のNFコンポーネントが検出するとき、NFリポジトリ管理機能コンポーネントは、第2のNFコンポーネントによって送信されるNF発見要求メッセージを受信し、第1のNFコンポーネントは、第2のNFコンポーネントを介して、NFリポジトリ管理機能コンポーネントによって送信される第1のメッセージを受信し得る。
【００２８】
従って、NFリポジトリ管理機能コンポーネントは、第2のNFコンポーネントによって送信されるメッセージを介して、第2のNFコンポーネントが不具合であることを知ることが可能であり、第1のNFコンポーネントは、第2のNFコンポーネントを介して、作動のために第2のNFコンポーネントを置換することができる具体的なNFコンポーネントを知る。
【００２９】
第2の態様または第2の態様の可能な実装のいずれか1つを参照して、第2の態様の別の可能な実装において、第1のNFコンポーネントは、第2のNFコンポーネントの識別子と、第2のNFコンポーネントと通信する少なくとも1つのユーザ機器の識別子とを含む、第2のNFコンポーネントのコンテキストを記憶し、ユーザ機器によって送信されるシグナリングはユーザ機器の識別子を含み、方法は、
第3のNFコンポーネントの識別子を含む第1のメッセージを受信した後に、第1のNFコンポーネントにより、第3のNFコンポーネントの識別子に基づいて第2のNFコンポーネントのコンテキストを更新し、第3のNFコンポーネントのコンテキストを作成するステップと、ユーザ機器からシグナリングを受信した後に、第1のNFコンポーネントにより、第1のNFコンポーネントに記憶されたNFコンポーネントのコンテキストを検索し、ユーザ機器の識別子に対応するNFコンポーネントを発見し、シグナリングをNFコンポーネントに送信するステップと、をさらに含み得る。たとえば、ユーザ機器の識別子が第3のNFコンポーネントのコンテキストに含まれるならば、第1のNFコンポーネントは、ユーザ機器の識別子に基づいて第3のNFコンポーネントのコンテキストを検索し、シグナリングを第3のNFコンポーネントに送信し得る。
【００３０】
従って、ユーザ機器と、ユーザ機器からシグナリングを受信するNFコンポーネントとの間の対応関係が、第1のNFコンポーネントにあらかじめ記憶されることが可能であり、ユーザ機器によって送信されるシグナリングが受信されるとき、シグナリングを受信するNFコンポーネントが対応関係に基づいて発見され、それによって、シグナリング転送速度が増加される。
【００３１】
第3の態様によれば、この出願は、ネットワーク機能NFコンポーネントの例外を処理するための方法をさらに提供し、方法は、ユーザ機器、第1のNFコンポーネント、および第2のNFコンポーネントを含むネットワークに適用されることが可能であり、ユーザ機器は第1のNFコンポーネントを介して第2のNFコンポーネントと通信し、ネットワークはNFリポジトリ管理機能コンポーネントをさらに含み、方法は、
第2のNFコンポーネントにより、代わりのNFコンポーネントがネットワーク内に存在するかどうかを問い合わせるようにNFリポジトリ管理機能コンポーネントに要求するために使用されるNF発見要求メッセージをNFリポジトリ管理機能コンポーネントに送信するステップと、NFリポジトリ管理機能コンポーネントによって送信されるNF発見応答メッセージを受信するステップであって、NF発見応答メッセージが第3のNFコンポーネントの識別子を含む、ステップと、ユーザ機器によって送信された、受信されたシグナリングを第3のNFコンポーネントへ送信するように第1のNFコンポーネントに命令するために使用される第1のメッセージを第1のNFコンポーネントに送信するステップであって、第1のメッセージは第3のNFコンポーネントの識別子を含み得る、ステップと、を含み得る。
【００３２】
従って、第2のNFコンポーネントが不具合である(たとえば、過負荷または不具合である)とき、第2のNFコンポーネントは、代わりのNFコンポーネントを決定するために使用されるメッセージをNFリポジトリ管理機能コンポーネントに送信し得る。代わりのNFコンポーネントを決定した後に、NFリポジトリ管理機能コンポーネントは、作動のために第2のNFコンポーネントを置換することができる具体的なNFコンポーネントを第1のNFコンポーネントに通知し、それによって、第1のNFコンポーネントは、ユーザ機器によって送信された、受信されたシグナリングをNFコンポーネントに転送する。従って、第2のNFコンポーネントが不具合であるとき、手続メッセージは、依然として、NFコンポーネント間で適切に交換されることができることが保証され、ネットワークのネットワークサービス品質が改善される。
【００３３】
第3の態様を参照して、第3の態様の可能な実装において、第2のNFコンポーネントがNF発見要求メッセージをNFリポジトリ管理機能コンポーネントに送信する前に、方法は、第2のNFコンポーネントにより、第2のNFコンポーネントが過負荷であることを検出するステップをさらに含み得る。
【００３４】
第4の態様によれば、本発明の実施形態はNFリポジトリ管理機能コンポーネントを提供し、NFリポジトリ管理機能コンポーネントは、
第2のNFコンポーネントが配置されるネットワーク内に代わりのNFコンポーネントが存在するかどうかを問い合わせるようにNFリポジトリ管理機能コンポーネントに要求するために使用されるNF発見要求メッセージを受信するように構成された受信ユニットと、
NFリポジトリ管理機能コンポーネントが配置されるネットワーク内に代わりの第3のNFコンポーネントが存在することを判定するように構成された判定ユニットと、
第3のNFコンポーネントの識別子を含み、ユーザ機器によって送信された、受信されたシグナリングを第3のNFコンポーネントへ送信するように第1のNFコンポーネントに命令するために使用される第1のメッセージを第1のNFコンポーネントに送信するように構成された送信ユニットと、を含み得る。
【００３５】
第4の態様の具体的な実装について、第1の態様または第1の態様の可能な実装のいずれか1つにおいて提供されるNFコンポーネントの例外を処理するための方法においてNFリポジトリ管理機能コンポーネントの動きを実現するための機能を参照されたい。詳細はここで再び説明されない。従って、第4の態様において提供されるNFリポジトリ管理機能コンポーネントは、第1の態様におけるそれと同じ有益な効果を達成し得る。
【００３６】
第5の態様によれば、本発明の実施形態はNFリポジトリ管理機能コンポーネントを提供し、NFリポジトリ管理機能コンポーネントは、
第2のNFコンポーネントが配置されるネットワーク内に代わりのNFコンポーネントが存在するかどうかを問い合わせるようにNFリポジトリ管理機能コンポーネントに要求するために使用されるNF発見要求メッセージを受信するように構成された通信インターフェースと、
NFリポジトリ管理機能コンポーネントが配置されるネットワーク内に代わりの第3のNFコンポーネントが存在することを判定するように構成されたプロセッサと、を含むことが可能であり、
通信インターフェースは、第3のNFコンポーネントの識別子を含み、ユーザ機器によって送信された、受信されたシグナリングを第3のNFコンポーネントへ送信するように第1のNFコンポーネントに命令するために使用される第1のメッセージを第1のNFコンポーネントに送信するように構成される。
【００３７】
第5の態様の具体的な実装について、第1の態様または第1の態様の可能な実装のいずれか1つにおいて提供されるNFコンポーネントの例外を処理するための方法においてNFリポジトリ管理機能コンポーネントの動きを実現するための機能を参照されたい。詳細はここで再び説明されない。従って、第5の態様において提供されるNFリポジトリ管理機能コンポーネントは、第1の態様におけるそれと同じ有益な効果を達成し得る。加えて、装置はメモリを含み得る。メモリはプロセッサに結合されるように構成され、メモリは装置のために必要であるプログラム命令およびデータを記憶する。
【００３８】
第6の態様によれば、本発明の実施形態は、1つ以上のプログラムを記憶する不揮発性のコンピュータ読み取り可能な記憶媒体を提供し、1つ以上のプログラムは命令を含み、命令が、第4の態様または第4の態様の可能な実装のいずれか1つに従って、または、第5の態様または第5の態様の可能な実装のいずれか1つに従って、NFリポジトリ管理機能コンポーネントによって実行されるとき、NFリポジトリ管理機能コンポーネントは、以下の事象、すなわち、
第2のNFコンポーネントが配置されるネットワーク内に代わりのNFコンポーネントが存在するかどうかを問い合わせるようにNFリポジトリ管理機能コンポーネントに要求するために使用されるNF発見要求メッセージを受信することと、NFリポジトリ管理機能コンポーネントが配置されるネットワーク内に代わりの第3のNFコンポーネントが存在することを判定することと、第3のNFコンポーネントの識別子を含み、ユーザ機器によって送信された、受信されたシグナリングを第3のNFコンポーネントへ送信するように第1のNFコンポーネントに命令するために使用される第1のメッセージを第1のNFコンポーネントに送信することと、を実行する。
【００３９】
第6の態様の具体的な実装について、第1の態様または第1の態様の可能な実装のいずれか1つにおいて提供されるNFコンポーネントの例外を処理するための方法におけるNFリポジトリ管理機能コンポーネントの動きを実現するための機能を参照されたい。詳細はここで再び説明されない。
【００４０】
第7の態様によれば、本発明の実施形態は第1のNFコンポーネントを提供し、第1のNFコンポーネントは、
第3のNFコンポーネントの識別子を含み、NFリポジトリ管理機能コンポーネントによって送信される第1のメッセージを受信するように構成された受信ユニットであって、第3のNFコンポーネントおよび第2のNFコンポーネントが同じNFコンポーネント集合に属し、同じNFコンポーネント集合内のNFコンポーネントが同じ機能を有し、第2のNFコンポーネントがユーザ機器によって送信されるシグナリングを受信するように構成され、
受信ユニットがユーザ機器によって送信されるシグナリングを受信するようにさらに構成された、受信ユニットと、
第3のNFコンポーネントの識別子に基づいてシグナリングを第3のNFコンポーネントに送信するように構成された送信ユニットと、を含み得る。
【００４１】
第7の態様の具体的な実装について、第2の態様または第2の態様の可能な実装のいずれか1つにおいて提供されるNFコンポーネントの例外を処理するための方法における第1のNFコンポーネントの動きを実現するための機能を参照されたい。詳細はここで再び説明されない。従って、第7の態様において提供される第1のNFコンポーネントは、第2の態様におけるそれと同じ有益な効果を達成し得る。
【００４２】
第8の態様によれば、本発明の実施形態は第1のNFコンポーネントを提供し、第1のNFコンポーネントは、
第3のNFコンポーネントの識別子を含み、NFリポジトリ管理機能コンポーネントによって送信される第1のメッセージを受信するように構成された通信インターフェースであって、第3のNFコンポーネントおよび第2のNFコンポーネントが同じNFコンポーネント集合に属し、同じNFコンポーネント集合内のNFコンポーネントが同じ機能を有し、第2のNFコンポーネントがユーザ機器によって送信されるシグナリングを受信するように構成され、
ユーザ機器によって送信されるシグナリングを受信するように構成された通信インターフェースと、
通信インターフェースを介して第3のNFコンポーネントの識別子に基づいてシグナリングを第3のNFコンポーネントに送信するように構成されたプロセッサと、を含み得る。
【００４３】
第8の態様の具体的な実装について、第2の態様または第2の態様の可能な実装のいずれか1つにおいて提供されるNFコンポーネントの例外を処理するための方法における第1のNFコンポーネントの動きを実現するための機能を参照されたい。詳細はここで再び説明されない。従って、第8の態様において提供される第1のNFコンポーネントは、第2の態様におけるそれと同じ有益な効果を達成し得る。加えて、装置はメモリを含み得る。メモリはプロセッサに結合されるように構成され、メモリは装置のために必要であるプログラム命令およびデータを記憶する。
【００４４】
第9の態様によれば、本発明の実施形態は、1つ以上のプログラムを記憶する不揮発性のコンピュータ読み取り可能な記憶媒体を提供し、1つ以上のプログラムが命令を含み、命令が、第7の態様または第7の態様の可能な実装のいずれか1つに従って、または、第9の態様または第9の態様の可能な実装のいずれか1つに従って第1のNFコンポーネントによって実行されるとき、第1のNFコンポーネントは、以下の事象、すなわち、
第3のNFコンポーネントの識別子を含み、NFリポジトリ管理機能コンポーネントによって送信される第1のメッセージを受信することであって、第3のNFコンポーネントおよび第2のNFコンポーネントが同じNFコンポーネント集合に属し、同じNFコンポーネント集合内のNFコンポーネントが同じ機能を有し、第2のNFコンポーネントがユーザ機器によって送信されるシグナリングを受信するように構成された、前記受信することと、ユーザ機器によって送信されるシグナリングを受信することと、通信インターフェースを介して第3のNFコンポーネントの識別子に基づいてシグナリングを第3のNFコンポーネントに送信することと、を実行する。
【００４５】
第9の態様の具体的な実装について、第2の態様または第2の態様の可能な実装のいずれか1つにおいて提供されるNFコンポーネントの例外を処理するための方法における第1のNFコンポーネントの動きを実現するための機能を参照されたい。詳細はここで再び説明されない。従って、第9の態様において提供される第1のNFコンポーネントは、第2の態様におけるそれと同じ有益な効果を達成し得る。
【００４６】
第10の態様によれば、本発明の実施形態は第2のNFコンポーネントを提供し、第2のNFコンポーネントは、
第2のNFコンポーネントが配置されるネットワーク内に代わりのNFコンポーネントが存在するかどうかを問い合わせるようにNFリポジトリ管理機能コンポーネントに要求するために使用されるNF発見要求メッセージをNFリポジトリ管理機能コンポーネントに送信するように構成された送信ユニットと、
第3のNFコンポーネントの識別子を含み、NFリポジトリ管理機能コンポーネントによって送信されるNF発見応答メッセージを受信するように構成された受信ユニットと、を含むことが可能であり、
送信ユニットは、第3のNFコンポーネントの識別子を含み、ユーザ機器によって送信された、受信されたシグナリングを第3のNFコンポーネントへ送信するように第1のNFコンポーネントに命令するために使用される第1のメッセージを第1のNFコンポーネントに送信するようにさらに構成される。
【００４７】
第10の態様の具体的な実装について、第3の態様または第3の態様の可能な実装のいずれか1つにおいて提供されるNFコンポーネントの例外を処理するための方法における第2のNFコンポーネントの動きを実現するための機能を参照されたい。詳細はここで再び説明されない。従って、第10の態様において提供される第2のNFコンポーネントは、第3の態様におけるそれと同じ有益な効果を達成し得る。
【００４８】
第11の態様によれば、本発明の実施形態は第2のNFコンポーネントを提供し、第2のNFコンポーネントは、
第2のNFコンポーネントが配置されるネットワーク内に代わりのNFコンポーネントが存在するかどうかを問い合わせるようにNFリポジトリ管理機能コンポーネントに要求するために使用されるNF発見要求メッセージを、NFリポジトリ管理機能コンポーネントに送信し、
第3のNFコンポーネントの識別子を含み、NFリポジトリ管理機能コンポーネントによって送信されるNF発見応答メッセージを受信し、第3のNFコンポーネントの識別子を含み、ユーザ機器によって送信された、受信されたシグナリングを第3のNFコンポーネントへ送信するように第1のNFコンポーネントに命令するために使用される第1のメッセージを第1のNFコンポーネントに送信するように構成された通信インターフェースを含み得る。
【００４９】
第11の態様の具体的な実装について、第3の態様または第3の態様の可能な実装のいずれか1つにおいて提供されるNFコンポーネントの例外を処理するための方法における第2のNFコンポーネントの動きを実現するための機能を参照されたい。詳細はここで再び説明されない。従って、第11の態様において提供される第2のNFコンポーネントは、第3の態様におけるそれと同じ有益な効果を達成し得る。加えて、装置はメモリを含み得る。メモリはプロセッサに結合されるように構成され、メモリは装置のために必要であるプログラム命令およびデータを記憶する。
【００５０】
第12の態様によれば、本発明の実施形態は、1つ以上のプログラムを記憶する不揮発性のコンピュータ読み取り可能な記憶媒体を提供し、1つ以上のプログラムは命令を含み、命令が、第8の態様または第8の態様の可能な実装のいずれか1つに従って、または、第9の態様または第9の態様の可能な実装のいずれか1つに従って、第2のNFコンポーネントによって実行されるとき、第2のNFコンポーネントは、以下の事象、すなわち、
第2のNFコンポーネントが配置されるネットワーク内に代わりのNFコンポーネントが存在するかどうかを問い合わせるようにNFリポジトリ管理機能コンポーネントに要求するために使用されるNF発見要求メッセージをNFリポジトリ管理機能コンポーネントに送信することと、第3のNFコンポーネントの識別子を含み、NFリポジトリ管理機能コンポーネントによって送信されるNF発見応答メッセージを受信することと、第3のNFコンポーネントの識別子を含み、ユーザ機器によって送信された、受信されたシグナリングを第3のNFコンポーネントへ送信するように第1のNFコンポーネントに命令するために使用される第1のメッセージを第1のNFコンポーネントに送信することと、を実行する。
【００５１】
第12の態様の具体的な実装について、第3の態様または第3の態様の可能な実装のいずれか1つにおいて提供されるNFコンポーネントの例外を処理するための方法における第2のNFコンポーネントの動きを実現するための機能を参照されたい。詳細はここで再び説明されない。従って、第12の態様において提供される第2のNFコンポーネントは、第3の態様におけるそれと同じ有益な効果を達成し得る。
【００５２】
第13の態様によれば、本発明の実施形態は、第4の態様または第4の態様の実装のいずれか1つに従う、または、第6の態様または第6の態様の実装のいずれか1つに従う、または、第6の態様または第6の態様の実装のいずれか1つに従う、NFリポジトリ管理機能コンポーネントと、第7の態様または第7の態様の実装のいずれか1つに従う、または、第8の態様または第8の態様の実装のいずれか1つに従う、または、第9の態様または第9の態様の実装のいずれか1つに従う、第1のNFコンポーネントと、第10の態様または第10の態様の実装のいずれか1つに従う、または、第11の態様または第11の態様の実装のいずれか1つに従う、または、第12の態様または第12の態様の実装のいずれか1つに従う、第2のNFコンポーネントと、を含む、NFコンポーネントの例外を処理するためのシステムを提供する。
【００５３】
第13の態様において提供されるNFコンポーネントの例外を処理するためのシステムは、NFコンポーネントの例外を処理するための上記の方法を実現することが可能であり、従って、NFコンポーネントの例外を処理するための上記の方法と同じ有益な効果を達成することができる。
【００５４】
第14の態様によれば、この出願は、NFリポジトリ管理機能コンポーネントにより、代わりのNFコンポーネントを問い合わせることを要求するために、第1のネットワーク要素によって送信される第2のNFコンポーネントの集合識別子を受信するステップと、NFリポジトリ管理機能コンポーネントにより、第2のNFコンポーネントの集合識別子に基づいて代わりの第3のNFコンポーネントの識別子を発見するステップであって、第3のNFコンポーネントおよび第2のNFコンポーネントが同じNFコンポーネント集合に属する、ステップと、NFリポジトリ管理機能コンポーネントにより、第3のNFコンポーネントの識別子を第1のネットワーク要素に送信するステップと、を含む、ネットワーク機能NFコンポーネントの例外を処理するための方法を提供する。
【００５５】
可能な設計において、NFリポジトリ管理機能コンポーネントにより、第2のNFコンポーネントの集合識別子に基づいて代わりの第3のNFコンポーネントの識別子を発見するステップは、NFリポジトリ管理機能コンポーネントにより、第2のNFコンポーネントの集合識別子に基づいて第2のNFコンポーネントが属するNFコンポーネント集合を知るステップと、第2のNFコンポーネントが属するNFコンポーネント集合から1つ以上のNFコンポーネントを代わりの第3のNFコンポーネントとして選択するステップと、を含む。
【００５６】
可能な設計において、第1のネットワーク要素は、第1のNFコンポーネント、第2のNFコンポーネント、またはアクセスネットワークである。
【００５７】
可能な設計において、第1のネットワーク要素がアクセスネットワークであるとき、NFリポジトリ管理機能コンポーネントにより、第1のネットワーク要素によって送信される第2のNFコンポーネントの集合識別子を受信するステップは、NFリポジトリ管理機能コンポーネントにより、NF発見管理機能を介してアクセスネットワークによって送信される第2のNFコンポーネントの集合識別子を受信するステップを含み、NFリポジトリ管理機能コンポーネントにより、第3のNFコンポーネントの識別子を第1のネットワーク要素に送信するステップは、NFリポジトリ管理機能コンポーネントにより、NF発見管理機能を介して第3のNFコンポーネントの識別子をアクセスネットワークに送信するステップを含む。
【００５８】
可能な設計において、第1のネットワーク要素が第2のNFコンポーネントであるとき、方法は、第2のNFコンポーネントにより、第3のNFコンポーネントの識別子をアクセスネットワークに送信するステップをさらに含む。
【００５９】
可能な設計において、方法は、NFリポジトリ管理機能コンポーネントにより、ネットワーク管理機能サーバまたはNFコンポーネントから登録要求メッセージを受信するステップであって、登録要求メッセージがNFコンポーネントの識別子およびNFコンポーネントの集合識別子を含む、ステップをさらに含む。
【００６０】
可能な設計において、NFコンポーネントは第2のNFコンポーネントおよび第3のNFコンポーネントを含む。
【００６１】
第15の態様によれば、この出願は、第1のネットワーク要素により、第2のNFコンポーネントがサービスを提供することができないことを知るステップと、第1のネットワーク要素により、第2のNFコンポーネントの集合識別子を取得し、代わりのNFコンポーネントを問い合わせることを要求するために、第2のNFコンポーネントの集合識別子をNFリポジトリ管理機能コンポーネントに送信するステップと、第1のネットワーク要素により、NFリポジトリ管理機能コンポーネントによって返される代わりの第3のNFコンポーネントの識別子を受信するステップであって、第3のNFコンポーネントおよび第2のNFコンポーネントが同じNFコンポーネント集合に属する、ステップと、第1のネットワーク要素により、第3のNFコンポーネントがユーザ機器のためにサービスを提供することを決定するステップと、を含む、ネットワーク機能NFコンポーネントの例外を処理するための方法を提供する。
【００６２】
可能な設計において、第1のネットワーク要素により、第2のNFコンポーネントの集合識別子を取得するステップは、第2のNFコンポーネントの集合識別子をローカルに取得するステップ、または、第1のネットワーク要素により、ユーザ機器によって送信されるメッセージを受信するステップであって、メッセージが第2のNFコンポーネントの集合識別子を搬送する、ステップと、メッセージ内で搬送される第2のNFコンポーネントの集合識別子を取得するステップと、を含む。
【００６３】
可能な設計において、第1のネットワーク要素は、第1のNFコンポーネント、第2のNFコンポーネント、またはアクセスネットワークである。
【００６４】
可能な設計において、第1のネットワーク要素がアクセスネットワークであるとき、第1のネットワーク要素により、第2のNFコンポーネントの集合識別子をNFリポジトリ管理機能コンポーネントに送信するステップは、アクセスネットワークにより、NF発見管理機能を介して第2のNFコンポーネントの集合識別子をNFリポジトリ管理機能コンポーネントに送信するステップを含み、第1のネットワーク要素により、NFリポジトリ管理機能コンポーネントによって返される代わりの第3のNFコンポーネントの識別子を受信するステップは、アクセスネットワークにより、NF発見管理機能を介してNFリポジトリ管理機能コンポーネントによって返される代わりの第3のNFコンポーネントの識別子を受信するステップを含む。
【００６５】
可能な設計において、第1のネットワーク要素が第2のNFコンポーネントであるとき、方法は、第2のNFコンポーネントにより、第3のNFコンポーネントの識別子をアクセスネットワークに送信するステップをさらに含む。
【００６６】
可能な設計において、第1のネットワーク要素により、第3のNFコンポーネントがユーザ機器のためにサービスを提供することを決定するステップは、第1のネットワーク要素により、第2のNFコンポーネントに送信されるべき情報を取得するステップと、第1のネットワーク要素により、第2のNFコンポーネントに送信されるべき情報を第3のNFコンポーネントに送信するステップと、を含む。
【００６７】
可能な設計において、第1のネットワーク要素により、第3のNFコンポーネントがユーザ機器のためにサービスを提供することを決定するステップは、第1のネットワーク要素により、ユーザ機器と第2のNFコンポーネントの間の対応関係を、ユーザ機器と第3のNFコンポーネントの間の対応関係に更新するステップを含む。
【００６８】
第16の態様によれば、本発明の実施形態はNFリポジトリ管理機能コンポーネントを提供し、NFリポジトリ管理機能コンポーネントは、上記の方法の例におけるNFリポジトリ管理機能コンポーネントの動きを実現するための機能を有する。機能は、ハードウェアによって実現されてもよく、または、ハードウェアにより対応するソフトウェアを実行することによって実現されてもよい。ハードウェアまたはソフトウェアは、上記の機能に対応する1つ以上のモジュールを含む。
【００６９】
可能な設計において、NFリポジトリ管理機能コンポーネントの構造は、処理ユニットと、送信ユニットと、受信ユニットとを含む。処理ユニットは、上記の方法における対応する機能を実行する際にNFリポジトリ管理機能コンポーネントを支援するように構成される。送信ユニットおよび受信ユニットは、別のデバイスと通信する際にNFリポジトリ管理機能コンポーネントを支援するように構成される。NFリポジトリ管理機能コンポーネントは、記憶ユニットをさらに含み得る。記憶ユニットは処理ユニットに結合されるように構成され、記憶ユニットは、NFリポジトリ管理機能コンポーネントのために必要であるプログラム命令およびデータを記憶する。たとえば、処理ユニットはプロセッサであってもよく、通信ユニットはトランシーバであってもよく、記憶ユニットはメモリであってもよい。
【００７０】
第17の態様によれば、本発明の実施形態は第1のネットワーク要素を提供し、第1のネットワーク要素は、上記の方法の例における第1のネットワーク要素の動きを実現するための機能を有する。機能は、ハードウェアによって実現されてもよく、または、ハードウェアにより対応するソフトウェアを実行することによって実現されてもよい。ハードウェアまたはソフトウェアは、上記の機能に対応する1つ以上のモジュールを含む。
【００７１】
可能な設計において、第1のネットワーク要素の構造は、処理ユニットと、送信ユニットと、受信ユニットとを含む。処理ユニットは、上記の方法における対応する機能を実行する際に第1のネットワーク要素を支援するように構成される。送信ユニットおよび受信ユニットは、別のデバイスと通信する際に第1のネットワーク要素を支援するように構成される。第1のネットワーク要素は、記憶ユニットをさらに含み得る。記憶ユニットは処理ユニットに結合されるように構成され、記憶ユニットは、第1のネットワーク要素のために必要であるプログラム命令およびデータを記憶する。たとえば、処理ユニットはプロセッサであってもよく、通信ユニットはトランシーバであってもよく、記憶ユニットはメモリであってもよい。
【００７２】
第18の態様によれば、本発明の実施形態は通信システムを提供し、システムは、上記の態様によるNFリポジトリ管理機能を含む。別の可能な設計において、システムは、NFリポジトリ管理機能と相互作用し、本発明の実施形態において提供される解決策における別のデバイス、たとえば、第1のネットワーク要素、第2のNFコンポーネント、および／または第3のNFコンポーネントをさらに含み得る。
【００７３】
第19の態様によれば、本発明の実施形態は通信システムを提供し、システムは、上記の態様による第1のネットワーク要素を含む。別の可能な設計において、システムは、第1のネットワーク要素と相互作用し、本発明の実施形態において提供される解決策における別のデバイス、たとえば、第2のNFコンポーネント、または第3のNFコンポーネント、および／またはNFリポジトリ管理機能をさらに含み得る。
【００７４】
第20の態様によれば、本発明の実施形態はコンピュータ記憶媒体を提供し、コンピュータ記憶媒体は、上記のコアネットワークデバイスによって使用されるコンピュータソフトウェア命令を記憶するように構成され、コンピュータソフトウェア命令は、上記の態様を実行するために設計されたプログラムを含む。
【００７５】
第21の態様によれば、本発明の実施形態はコンピュータ記憶媒体を提供し、コンピュータ記憶媒体は、上記の第1のネットワーク要素によって使用されるコンピュータソフトウェア命令を記憶するように構成され、コンピュータソフトウェア命令は、上記の態様を実行するために設計されたプログラムを含む。
【００７６】
第22の態様によれば、この出願は、命令を含むコンピュータプログラム製品をさらに提供し、命令がコンピュータにおいて動作するとき、コンピュータは上記の態様に従って方法を実行する。
【００７７】
第23の態様によれば、この出願はチップシステムを提供し、チップシステムは、上記の態様における機能、たとえば上記の方法におけるデータおよび／または情報を生成することまたは処理することを実現する際に、データ送信デバイスを支援するように構成されたプロセッサを含む。可能な設計において、チップシステムはメモリをさらに含み、メモリは、データ送信デバイスのために必要であるプログラム命令およびデータを記憶するように構成される。チップシステムはチップを含んでもよく、またはチップおよび別の分離したデバイスを含んでもよい。
【図面の簡単な説明】
【００７８】
【図１】本発明の実施形態によるネットワークアーキテクチャの概略図である。
【図１ａ】本発明の実施形態による別のネットワークアーキテクチャの概略図である。
【図２】本発明の実施形態による別のネットワークアーキテクチャの概略図である。
【図３】本発明の実施形態によるNFコンポーネントの例外を処理するための方法のフローチャートである。
【図３ａ】本発明の実施形態による、NFリポジトリ管理機能コンポーネントにより、NFコンポーネントの関連する情報を記憶するフローチャートである。
【図３ｂ】本発明の実施形態による、NFリポジトリ管理機能コンポーネントにより、NFコンポーネントの関連する情報を記憶する別のフローチャートである。
【図４】本発明の実施形態によるNFコンポーネントの例外を処理するための別の方法のフローチャートである。
【図５】本発明の実施形態によるNFコンポーネントの例外を処理するための別の方法のフローチャートである。
【図６】本発明の実施形態によるNFリポジトリ管理機能コンポーネント10の概略構造図である。
【図７】本発明の実施形態による第1のNFコンポーネント20の概略構造図である。
【図８】本発明の実施形態による第2のNFコンポーネント30の概略構造図である。
【図９】本発明の実施形態によるNFコンポーネントの例外を処理するためのシステムの構造図である。
【図１０】本発明の実施形態によるNFコンポーネントの例外を処理するための別の方法のフローチャートである。
【図１１】本発明の実施形態によるNFコンポーネントの例外を処理するための別の方法のフローチャートである。
【図１２】本発明の実施形態によるNFコンポーネントの例外を処理するための別の方法のフローチャートである。
【図１３】本発明の実施形態によるNFコンポーネントの例外を処理するための別の方法のフローチャートである。
【図１４】本発明の実施形態によるNFコンポーネントの例外を処理するための別の方法のフローチャートである。
【図１５】本発明の実施形態によるネットワークデバイスの概略構造図である。
【図１６】本発明の実施形態による別のネットワークデバイスの概略構造図である。
【発明を実施するための形態】
【００７９】
本発明の主な原理は以下の通りである。NFリポジトリ管理機能(英語:NF Repository Function)コンポーネントがコアネットワークに追加され、同じタイプの複数のNFコンポーネント(たとえば、同じNFタイプのコンポーネント、または同じユーザコンテキストを共有するコンポーネント、または同じネットワーク構成を共有するコンポーネント)が、NFリポジトリ管理機能コンポーネントにあらかじめ記憶された集合(Set)として使用され、それによって、例外がNFコンポーネントにおいて発生するとき、例外が発生するNFコンポーネントの部分的なまたはすべての作動を完了するために、NFリポジトリ管理機能コンポーネントにおいてNFコンポーネントが属する集合から新しいNFコンポーネントが選択されて、手続メッセージがNFコンポーネント間で適切に交換されることを保証する。
【００８０】
以下は、本発明の実施形態における添付図面を参照して、本発明の実施形態における技術的解決策を明確かつ完全に説明する。本発明の実施形態の説明において、「第1の」、「第2の」、および「別の」などの用語を使用することによって示されるシステムまたは要素は、実施形態に基づいて説明される、特定の機能を有するシステムまたは要素であり、本発明を説明するために、かつ説明の簡潔さのためにのみ使用されるが、示されるシステムまたは要素がその名称を有する必要があることを示しも暗示もせず、従って、本発明に対する限定として解釈されるべきでないことが理解されるべきである。
【００８１】
解決策が詳細に説明される前に、本発明における技術的解決策の理解を促進するために、本発明におけるいくつかの重要な名詞が詳細に説明される。以下の名詞は、説明の便宜のためにのみ本発明における当業者により名付けられ、示されるシステムまたは要素がその名称を有する必要があることを表現も暗示もせず、従って、本発明に対する限定として解釈されるべきでないことが理解されるべきである。
【００８２】
NFコンポーネントは、コアネットワーク内のネットワーク機能が機能タイプに基づいて分割された後に得られるコンポーネントであり、各NFコンポーネントは、1つ以上のNFタイプに対応し、またはNFを実現するために導入される新しいNFコンポーネントである。NFコンポーネントは、NFコンポーネントに対応するNFを実現するために使用されるアプリケーションプログラムであってもよく、アプリケーションプログラムは、NFコンポーネントに対応するNFを実行するためにサーバまたは別のデバイスによって呼び出されるために、アプリケーションプラットフォームまたはサーバ上に配備されてもよい。その代わりに、NFコンポーネントは、コアネットワークにおいて独立に配備される機能モジュールであってもよい。これは、本発明の実施形態において限定されない。NFコンポーネントがコアネットワークにおいて配備される機能モジュールである例のみが、本発明の実施形態における説明のために使用される。NFコンポーネントは、NFコンポーネントの間で区別するために、NFコンポーネントに対応するネットワーク機能に基づく異なる名称を有してもよい。たとえば、セッション管理(英語:Session Management、SM)機能を有するNFコンポーネントはSMコンポーネントと呼ばれてもよく、モビリティ管理(英語:Mobility Management、MM)機能を有するNFコンポーネントはMMコンポーネントと呼ばれてもよく、スモールデータ(英語:Small Data、SD)機能を有するNFコンポーネントはSDコンポーネントと呼ばれてもよい。SMコンポーネントは、PDUセッション接続の確立、更新、削除、および同様のものを含む、ユーザ機器のPDUセッション接続を管理する責任を負う。MMコンポーネントは、SMコンポーネントとユーザの間のPDUセッション、およびSMコンポーネントとアクセスネットワークの間のそれに関するメッセージを転送する責任を負う。MMコンポーネントは、ユーザ機器のネットワークアクセス管理、ユーザ機器の位置管理、ユーザ機器の到達可能性の管理、および同様のものの責任を負う。
【００８３】
NFコンポーネントの例外は、NFコンポーネントが不具合である、または過負荷であることを意味する。
【００８４】
NFコンポーネントの不具合は、NFコンポーネントがシャットダウンしている、たとえば別のNFコンポーネントと交換されるメッセージを受信することも送信することもできないので、NFコンポーネントが動くことができないことを意味し得る。
【００８５】
NFコンポーネントの過負荷は、NFコンポーネント上の負荷(受信されたメッセージの数など)があらかじめ設定された閾値以上である、または、NFコンポーネント上の中央処理ユニット(英語:Central Processing Unit、CPU)における負荷があらかじめ設定された閾値以上である、またはNFコンポーネントのメモリ消費があらかじめ設定された閾値以上であることを意味し得る。あらかじめ設定される閾値は、必要に応じて設定され得る。これは、本発明の実施形態において限定されない。
【００８６】
本発明の実施形態におけるNFコンポーネントの例外を処理するための方法は、図1に表わされるネットワークシステムに適用され得る。図1に表わされるように、ネットワークは、ユーザ機器(英語:User Equipment、UE)、アクセスネットワーク(英語:Access Network、AN)、ユーザプレーン(英語:User Plane、UP)ネットワーク要素、データネットワーク(英語:Data Network、DN)、複数のNFコンポーネント(第1のNFコンポーネントおよび第2のNFコンポーネントなど)、およびNFリポジトリ管理機能コンポーネントを含み得る。複数のNFコンポーネントおよびNFリポジトリ管理機能コンポーネントは、ネットワークのコアネットワーク内に配置される。ユーザ機器は、ローカルアクセスネットワークを介してデータネットワークにアクセスする。アクセスネットワークは、強化されたロング・ターム・エボリューション(英語:evolved Long Term Evolution、eLTE)ネットワークであってもよく、または、第3世代パートナーシップ・プロジェクト(英語:3rd Generation Partnership Project、3GPP)アクセスネットワークなどの次世代アクセスネットワーク(英語:NextGen RAN)であってもよく、またはワイヤレスローカルエリアネットワーク(英語:Wireless Local Area Networks、WLAN)または固定されたアクセスネットワークなどのアクセスネットワークであってもよい。ユーザプレーンネットワーク要素は、主に、ユーザサービスデータを転送する責任を負う。NFコンポーネントは、主に、ユーザ機器の接続管理、セキュリティ認証、モビリティ管理、位置管理、および同様のものの責任を負う。異なるNFコンポーネントは、コアネットワークのネットワーク機能を実現するために、互いに手続メッセージを交換し得る。NFリポジトリ管理機能コンポーネントは、コアネットワーク内の各NFコンポーネントの関連する情報(NFコンポーネントのアドレス、NFコンポーネントが属する集合の識別子、NFコンポーネントのタイプなど)を記憶するように主に構成される。
【００８７】
図1は単に概略図であり、図1に表わされるNFコンポーネントは単に例であり、NFコンポーネントの数はこの出願の解決策に対して限定を課さず、NFコンポーネントの数は図3に表わされる数に限定されないことが留意されるべきである。実際の配備において、図1に表わされるそれらとは異なる複数のNFコンポーネントがネットワーク内に配備され得る。表わされていないが、図1に表わされるコアネットワークは、いくつかの他の制御プレーンネットワーク要素をさらに含み得る。詳細はここで説明されない。
【００８８】
本発明の実施形態において提供される解決策を実行する主なネットワーク要素は、図1aを参照して下記で詳細に説明される。図1aに表わされるように、図1における第1のNFコンポーネント100は、通信インターフェース1011、プロセッサ1012、メモリ1013、および少なくとも1つの通信バス1014を含み得る。通信バス1014は、これらの装置間の接続およびそれらの相互通信を実現するように構成される。第2のNFコンポーネント200は、通信インターフェース2011、プロセッサ2012、メモリ2013、および少なくとも1つの通信バス2014を含み得る。通信バス2014は、これらの装置間の接続およびそれらの相互通信を実現するように構成される。NFリポジトリ管理機能コンポーネント300は、通信インターフェース3011、プロセッサ3012、メモリ3013、および少なくとも1つの通信バス3014を含み得る。通信バス3014は、これらの装置間の接続およびそれらの相互通信を実現するように構成される。
【００８９】
通信インターフェース1011は、第1のNFコンポーネント100のトランシーバユニットであり、外部のネットワーク要素とシグナリングまたはメッセージを交換するように主に構成される。たとえば、第1のNFコンポーネント100の通信インターフェース1011は、ユーザ機器によって送信される制御シグナリングを受信し、または制御シグナリングを第2のNFコンポーネント100に転送し得る。
【００９０】
通信インターフェース2011は、第2のNFコンポーネント200のトランシーバユニットであり、外部のネットワーク要素とシグナリングまたはメッセージを交換するように主に構成される。たとえば、通信インターフェース2011は、第1のNFコンポーネント100の通信インターフェース2011によって送信される制御シグナリングを受信し、または、要求メッセージをNFリポジトリ管理機能コンポーネント300に送信し得る。
【００９１】
通信インターフェース3011は、NFリポジトリ管理機能コンポーネント300のトランシーバユニットであり、外部のネットワーク要素とメッセージを交換するように主に構成される。たとえば、通信インターフェース3011は、第1のNFコンポーネント100の通信インターフェース1011または第2のNFコンポーネント200の通信インターフェース2011によって送信される要求メッセージを受信し、または、第1のNFコンポーネント100または第2のNFコンポーネント200に応答メッセージを送信し得る。
【００９２】
プロセッサ1012、プロセッサ2012、およびプロセッサ3012は各々、中央処理ユニット(英語:Central Processing Unit、CPU)であってもよく、または特定用途向け集積回路(英語:Application Specific Integrated Circuit、ASIC)であってもよく、または本発明の実施形態を実現するように構成された1つ以上の集積回路、たとえば、1つ以上のマイクロプロセッサ(英語:Digital Signal Processor、DSP)、または1つ以上のフィールドプログラマブルゲートアレイ(英語:Field Programmable Gate Array、FPGA)であってもよい。
【００９３】
メモリ1013、メモリ2013、およびメモリ3013は各々、ランダムアクセスメモリ(英語:Random-Access Memory、RAM)などの揮発性メモリ(英語:volatile memory)であってもよく、またはリードオンリメモリ(英語:Read-Only Memory、ROM)、フラッシュメモリ(英語:flash memory)、ハードディスク(英語:Hard Disk Drive、HDD)、またはソリッドステートドライブ(英語:Solid-State Drive、SSD)などの不揮発性メモリ(英語:non-volatile memory)であってもよく、または、上記のタイプのメモリの組み合わせであってもよい。メモリ1013、メモリ2013、およびメモリ3013は、データおよびコードを記憶するように構成され得る。このようにして、プロセッサ1012は、第1のNFコンポーネント100の様々な機能を実現するために、メモリ1013に記憶されたプログラムコードを動作させ、または実行し、メモリ1013に記憶されたデータを呼び出し、プロセッサ2012は、第2のNFコンポーネント200の様々な機能を実現するために、メモリ2013に記憶されたプログラムコードを動作させ、または実行し、メモリ2013に記憶されたデータを呼び出し、プロセッサ3012は、NFリポジトリ管理機能コンポーネント300の様々な機能を実現するために、メモリ3013に記憶されたプログラムコードを動作させ、または実行し、メモリ3013に記憶されたデータを呼び出す。
【００９４】
通信バス1014、通信バス2014、および通信バス3014は各々、アドレスバス、データバス、制御バス、および同様のものに分類されてもよく、業界標準アーキテクチャ(英語:Industry Standard Architecture、ISA)バス、周辺コンポーネント相互接続(英語:Peripheral Component、PCI)バス、拡張業界標準アーキテクチャ(英語:Extended Industry Standard Architecture、EISA)バス、または同様のものであってもよい。表記の容易さのために、各通信バスは、図1aにおいては1つの太線のみを使用することによって示される。しかしながら、それは、1つのバスのみ、または1つのタイプのバスのみがあることを示さない。
【００９５】
具体的には、本発明の実施形態において提供されるNFコンポーネントの例外を処理するプロセスにおいて、図1aの1.1から1.5に表わされるように、例外(過負荷など)が第2のNFコンポーネント200において発生したことを判定し、負荷平衡が実行される必要があることを判定した後に、第2のNFコンポーネント200のプロセッサ2012は、NF発見要求メッセージを生成し、NF発見要求メッセージを、通信インターフェース2011を介してNFリポジトリ管理機能コンポーネント300の通信インターフェース3011に送信する。NFリポジトリ管理機能コンポーネント300のプロセッサ3012は、通信インターフェース3011によって受信されるNF発見要求メッセージに基づいて、第2のNFコンポーネントと同じ機能を有する別のNFコンポーネント(第3のNFコンポーネント)を検索し、第2のNFコンポーネントと同じ機能を有する別のNFコンポーネントが第2のNFコンポーネント200の負荷を共有することを決定し、通信インターフェース3011を介してNF発見応答メッセージを第2のNFコンポーネント200に返す。NF発見応答メッセージを受信した後に、通信インターフェース2011は、第1のNFコンポーネント100の通信インターフェース1011に更新要求メッセージを送信する。第1のNFコンポーネント100のプロセッサ1012は、通信インターフェース1011によって受信される更新要求メッセージに基づいて、部分的に受信されたシグナリングを処理のために別のNFコンポーネント(第3のNFコンポーネント)に転送し、シグナリングはユーザ機器によって送信される。
【００９６】
その代わりに、図1aにおいて破線によって表わされるように、例外(シャットダウンなど)が第2のNFコンポーネント200において発生し、第2のNFコンポーネント200が動くことができないことを判定するとき、第1のNFコンポーネント100のプロセッサ1012は、NF発見要求メッセージを生成し、通信インターフェース1011を介してNF発見要求メッセージをNFリポジトリ管理機能コンポーネント300の通信インターフェース3011に送信する。NFリポジトリ管理機能コンポーネント300のプロセッサ3012は、通信インターフェース3011によって受信されるNF発見要求メッセージに基づいて、第2のNFコンポーネントと同じ機能を有する別のNFコンポーネントを検索し、第2のNFコンポーネント200の作動を完了するために、第2のNFコンポーネントと同じ機能を有する別の利用可能なNFコンポーネントを決定し、通信インターフェース3011を介してNF発見応答メッセージを第1のNFコンポーネント200に返す。通信インターフェース1011がNF発見応答メッセージを受信した後に、プロセッサ1012は、通信インターフェース1011によって受信されるNF発見応答メッセージに基づいて、すべての受信されたシグナリングを処理のために別の第2のNFコンポーネントに転送し、シグナリングはユーザ機器によって送信される。
【００９７】
従って、NFコンポーネントにおいて例外が発生するとき、NFコンポーネントと同じ機能を有する別のNFコンポーネントが、ユーザ機器によって送信される部分的なまたはすべてのシグナリングを処理することが可能であり、それによって、シグナリングメッセージはNFコンポーネント間で適切に交換され、ネットワークのネットワークサービス品質が良好に保証される。
【００９８】
実際の応用において、図1および図1aに表わされる第1のNFコンポーネントはMMコンポーネントであってもよく、第2のNFコンポーネントはSMコンポーネントまたはSDコンポーネントであってもよい。たとえば、図2に表わされるように、ネットワークシステムは、ユーザ機器、アクセスネットワーク、ユーザプレーンネットワーク要素、データネットワーク、MMコンポーネント、SMコンポーネント、およびSDコンポーネントを含み得る。ユーザ機器、MMコンポーネント、およびSMコンポーネントは、ユーザ機器のプロトコルデータユニット(英語:Protocol Data Unit、PDU)セッション(session)の処理を完了するために、互いにメッセージまたはシグナリングを交換し得る。加えて、例外がセッションの間にSMコンポーネントにおいて発生するならば、本発明の実施形態において提供される解決策は、PDUセッションが適切に実行されることを保証するために、MMコンポーネントが別の利用可能なSMコンポーネントとメッセージまたはシグナリングを交換することを保証するために使用され得る。SDコンポーネント、MMコンポーネント、およびユーザ機器は、また、ユーザ機器のために少量データサービスを提供するために、互いにメッセージまたはシグナリングを交換し得る。例外がSDコンポーネントにおいて発生するとき、同様に、本発明の実施形態において提供される解決策は、また、MMコンポーネントが別の利用可能なSDコンポーネントとメッセージまたはシグナリングを交換することを保証するために使用されることが可能であり、それによって、別のSDは、サービスの中断を回避し、ネットワークのネットワークサービス品質を改善するために、ユーザ機器のために少量データサービスを提供し続ける。
【００９９】
加えて、第2のNFコンポーネントは、マルチメディア・ブロードキャスト・マルチキャスト・サービス(英語:Multimedia Broadcast and Multicast Service、MBMS)コンポーネント、ポリシー(Policy)コンポーネント、または加入者データ(英語:Subscriber Data)コンポーネントなどの別のNFコンポーネント(図2に表わされない)であり得ることが理解され得る。第2のNFコンポーネントがSMコンポーネントまたはSDコンポーネント以外のNFコンポーネントであるとき、本発明の実施形態において提供される解決策は、また、例外がコンポーネントにおいて発生するときに発生する課題を解決するために使用され得る。
【０１００】
説明の容易さのために、以下の実施形態は、第1のNFコンポーネントがMMコンポーネントであり、第2のNFコンポーネントがSMコンポーネントまたはSDコンポーネントである、図2に表わされる例を使用し、ステップを使用することによって表わし、本発明の実施形態において提供されるNFコンポーネントの例外を処理するプロセスを詳細に説明する。表わされるステップは、また、命令のグループを実行することができるコンピュータシステムにおいて実行され得る。加えて、論理的な順序が図に表わされているが、いくつかの場合、表わされるまたは説明されるステップは、ここでの順序とは異なる順序で実行され得る。
【０１０１】
図3は、本発明の実施形態による、NFコンポーネントの例外を処理するための方法のフローチャートである。方法は、図2に表わされるネットワーク内のデバイス間の相互作用を通じて実行され、ユーザ機器がSMコンポーネントとのセッションを実行するプロセスにおいてSMコンポーネントが過負荷であるという課題を解決するために使用される。図3に表わされるように、方法は以下のステップを含み得る。
【０１０２】
ステップ101:少なくとも1つのユーザ機器がSMコンポーネント1とのPDUセッションを確立する。
【０１０３】
各ユーザ機器はANまたはMMコンポーネントを介してSMコンポーネント1とのPDUセッションを確立することが可能であり、このプロセスは既存のプロセスであり、詳細はここで説明されない。説明の容易さのために、図3は、1つのユーザ機器がSMコンポーネント1とのPDUセッションを確立し、図3に表わされる解決策を実行するプロセスのみを表わし、それらにおけるユーザ機器の数は、この出願の解決策に対して限定を課さないことが留意されるべきである。各ユーザ機器は、図3に表わされる解決策を実行し得る。詳細はここで説明されない。
【０１０４】
ステップ102:SMコンポーネント1がPDUセッション登録要求メッセージをMMコンポーネントに送信する。
【０１０５】
PDUセッション登録要求メッセージは、SMコンポーネント1へのPDUセッション接続を確立するユーザ機器の識別子、PDUセッション接続の識別子、SMコンポーネント1の識別子、およびSMコンポーネント1が属する集合の識別子を含み得る。
【０１０６】
ステップ103:MMコンポーネントが、PDUセッション登録要求メッセージを受信し、PDUセッション接続のコンテキストを作成して記憶し、PDUセッション登録応答メッセージをSMコンポーネント1に返す。
【０１０７】
PDUセッション接続のセッション識別子と、ユーザ機器の識別子と、SMコンポーネント1の識別子との間の対応関係が、PDUセッション接続のコンテキストに記録される。
【０１０８】
PDUセッション登録応答メッセージは、PDUセッション登録が完了したことをSMコンポーネント1に通知するために使用される。
【０１０９】
PDUセッションのセッション識別子は、PDUセッションを識別するために使用される。ユーザ機器の識別子はユーザ機器を一意に識別するために使用され、識別子は国際移動加入者識別情報(英語:International Mobile Subscriber Identity、IMSI)であってもよい。SMコンポーネント1の識別子は、SMコンポーネント1を一意に識別するために使用される。
【０１１０】
ステップ104:SMコンポーネント1が過負荷であることをSMコンポーネント1が検出する。
【０１１１】
任意選択で、SMコンポーネント1は、SMコンポーネント1によって受信されるメッセージの数があらかじめ設定された閾値以上であるかどうかを検出することが可能であり、数があらかじめ設定された閾値以上であるならば、SMコンポーネント1は、SMコンポーネント1が過負荷であり、負荷平衡を実行する必要があると決定する。
【０１１２】
その代わりに、SMコンポーネント1は、SMコンポーネント1のCPUにおける負荷があらかじめ設定された閾値以上であるかどうかを検出し、負荷があらかじめ設定された閾値以上であるならば、SMコンポーネント1は、SMコンポーネント1が過負荷であり、負荷平衡を実行する必要があると決定する。
【０１１３】
その代わりに、SMコンポーネント1は、SMコンポーネント1のメモリ消費(メモリ使用など)があらかじめ設定された閾値以上であるかどうかを検出し、メモリ消費があらかじめ設定された閾値以上であるならば、SMコンポーネント1は、SMコンポーネント1が過負荷であり、負荷平衡を実行する必要があると決定する。
【０１１４】
あらかじめ設定された閾値は必要に応じて設定され得る。これは本発明のこの実施形態において限定されない。
【０１１５】
ステップ105:SMコンポーネント1が、NF発見要求メッセージをNFリポジトリ管理機能コンポーネントに送信する。
【０１１６】
NF発見要求メッセージは、SMコンポーネントが配置されるネットワーク内に代わりのSMコンポーネントが存在するかどうかを問い合わせるようにNFリポジトリ管理機能コンポーネントに要求するために使用される。
【０１１７】
代わりのSMコンポーネントは、SMコンポーネント1と同じ機能を有し、SMコンポーネント1と同じSMコンポーネント集合内にあるSMコンポーネントであり得る。
【０１１８】
NF発見要求メッセージは、SMコンポーネント1が属する集合の識別子を含んでもよく、またはSMコンポーネント1の識別子を含んでもよい。
【０１１９】
NFリポジトリ管理機能コンポーネントは、少なくとも1つのSMコンポーネント集合をあらかじめ記憶する。各SMコンポーネント集合は少なくとも1つのSMコンポーネントを含み、1つのSMコンポーネントは1つの識別子に対応し、同じSMコンポーネント集合内のSMコンポーネントは同じネットワーク機能を有する。NFリポジトリ管理機能コンポーネントは、表の形式で少なくとも1つのSMコンポーネント集合を記憶してもよく、または、別の形式で少なくとも1つのSMコンポーネント集合を記憶してもよい。これは本発明のこの実施形態において限定されない。
【０１２０】
任意選択で、図3aに表わされる解決策は、NFリポジトリ管理機能コンポーネントに少なくとも1つのSMコンポーネント集合を記憶するために使用され得る。図3aに表わされるように、ネットワーク管理機能サーバは、ネットワーク内に各SMコンポーネントを配備して管理し、SMコンポーネントの識別子、SMコンポーネントに対応するNFタイプ、およびSMコンポーネントが属する集合の識別子などの各SMコンポーネントの関連する情報を決定し、NF登録要求メッセージをNFリポジトリ管理機能コンポーネントに送信する。NF登録要求メッセージは各SMコンポーネントの関連する情報を含む。登録要求メッセージを受信した後に、NFリポジトリ管理機能コンポーネントはそれに対応して、同じNFタイプおよび同じ集合識別子を有するSMコンポーネントと、各SMコンポーネントの識別子とを1つの集合内に記録し、SMコンポーネントが属する集合の識別子を使用することによって集合を識別し、ネットワーク管理機能サーバにNF登録応答メッセージを送信する。このようにして、NFリポジトリ管理機能はSMコンポーネント集合についての情報の記憶を完了する。
【０１２１】
任意選択で、図3bに表わされるように、NFリポジトリ管理機能コンポーネントにSMコンポーネント集合を記憶する別の実装は以下の通りである。ネットワーク管理機能サーバが、SMコンポーネントの識別子、SMコンポーネントに対応するNFタイプ、およびSMコンポーネントが属する集合の識別子などの各SMコンポーネントの関連する情報を決定し、各SMコンポーネントがNF登録の間にアクセスする必要があるNFリポジトリ管理コンポーネントの識別子を決定する。SMコンポーネントが配備され、サービスを適切に処理することができるとき、SMコンポーネントは、対応するNFリポジトリ管理機能コンポーネントにNF登録要求メッセージを送信する。NF登録要求メッセージは、SMコンポーネントの関連する情報を含む。登録要求メッセージを受信した後に、NFリポジトリ管理機能コンポーネントはそれに対応して、同じNFタイプおよび同じ集合識別子を有するSMコンポーネントと、各SMコンポーネントの識別子とを1つの集合内に記録し、SMコンポーネントが属する集合の識別子を使用することによって集合を識別し、NF登録応答メッセージをネットワーク管理機能サーバに送信する。このようにして、NFリポジトリ管理機能は、SMコンポーネント集合についての情報の記憶を完了する。
【０１２２】
SMコンポーネントの識別子は、ネットワーク内のSMコンポーネントの位置を一意に識別するために使用される。SMコンポーネントの識別子は、SMコンポーネントのネットワークアドレスまたはSMコンポーネントの完全修飾ドメイン名(Fully Qualified Domain Name、FQDN)であり得る。SMコンポーネントに対応するNFタイプは、それに対応してSMコンポーネントによって実行されるネットワーク機能を識別するために使用される。SMコンポーネントが属する集合の識別子は、SMコンポーネントが属する集合を識別するために使用される。
【０１２３】
たとえば、SMコンポーネント1の識別子はインターネットプロトコル(英語:Internet Protocol、IP)アドレス1であり、SMコンポーネント1に対応するNFタイプはタイプ1であり、SMコンポーネント1が属する集合の識別子はAである。SMコンポーネント2の識別子はIPアドレス2であり、SMコンポーネント2に対応するNFタイプはタイプ1であり、SMコンポーネント2が属する集合の識別子はAである。SMコンポーネント3の識別子はIPアドレス3であり、SMコンポーネント3に対応するNFタイプはタイプ2であり、SMコンポーネント3が属する集合の識別子はBである。SMコンポーネント4の識別子はIPアドレス4であり、SMコンポーネント4に対応するNFタイプはタイプ2であり、SMコンポーネント4が属する集合の識別子はBである。この場合、これらのSMコンポーネントの関連する情報を受信した後に、NFリポジトリ管理機能コンポーネントは、(以下の表1に表わされるような)表の形式で情報を記憶し得る。
【０１２４】
【表１】
2019536369.tif 000003
【０１２５】
SMコンポーネントの関連する情報は、SMコンポーネントの識別子、SMコンポーネントに対応するNFタイプ、およびSMコンポーネントが属する集合の識別子を含むがそれらに限定されず、SMコンポーネントによってアクセス可能な別のNFコンポーネントの関連する情報、および同様のものをさらに含み得ることが理解され得る。これは、本発明のこの実施形態において限定されない。
【０１２６】
ステップ106:NFリポジトリ管理機能コンポーネントが、NF発見要求メッセージを受信し、少なくとも1つの記憶されたSMコンポーネント集合を検索し、代わりのSMコンポーネント2が存在することを判定し、NF発見応答メッセージをSMコンポーネント1に送信する。
【０１２７】
NF発見応答メッセージはSMコンポーネント2の識別子を含むことが可能であり、NF発見応答メッセージは、SM1コンポーネントと同じ機能を有するSMコンポーネント2がコアネットワーク内に存在し、SMコンポーネント1における負荷を共有することができることをSMコンポーネント1に通知するために使用される。
【０１２８】
任意選択で、NFリポジトリ管理機能コンポーネントは、SMコンポーネント1の識別子に基づいて、識別子に対応するSMコンポーネント集合、すなわち、SMコンポーネントが属するSMコンポーネント集合を検索し、SMコンポーネント1以外のSMコンポーネントが、発見されたSMコンポーネント集合内に存在するならば、SMコンポーネント1以外のSMコンポーネントのいずれかをSMコンポーネント2として選択し、SMコンポーネント2の識別子をNF発見応答メッセージに追加し、NF発見応答メッセージをSMコンポーネント1に送信し得る。
【０１２９】
その代わりに、NFリポジトリ管理機能コンポーネントは、NF発見要求メッセージ内にある、SMコンポーネント1が属する集合の識別子によって識別されるSMコンポーネント集合を発見するために、少なくとも1つのSMコンポーネント集合を検索し、SMコンポーネント1以外のSMコンポーネントが、発見されたSMコンポーネント集合内に存在するならば、SMコンポーネント1以外のSMコンポーネントのいずれかをSMコンポーネント2として選択し、SMコンポーネント2の識別子をNF発見応答メッセージに追加し、NF発見応答メッセージをSMコンポーネント1に送信し得る。
【０１３０】
たとえば、SMコンポーネント1が属する集合の識別子がAであるならば、NF発見要求メッセージを受信した後に、NFリポジトリ管理機能コンポーネントは、上記の表1を検索し、集合識別子がAである集合がSMコンポーネント2をさらに含み、SMコンポーネント2の識別子がIPアドレス2であることを判定し、IPアドレス2をNF発見応答メッセージに追加し、NF発見応答メッセージをSMコンポーネント1に送信する。
【０１３１】
ステップ107:SMコンポーネント1が、NF更新要求メッセージをMMコンポーネントに送信する。
【０１３２】
NF更新要求メッセージは、SMコンポーネント2の識別子を含んでもよく、またはSMコンポーネント2の識別子および負荷平衡ポリシーを含んでもよい。
【０１３３】
負荷平衡ポリシーは、SMコンポーネント1の負荷状態に基づいてSMコンポーネント1によって決定され得る。負荷平衡ポリシーは、負荷平衡を実現するために、負荷共有の間に各SMコンポーネントによって共有される負荷、たとえばSMコンポーネント1における負荷およびSMコンポーネント2における負荷を指定するために使用される。
【０１３４】
具体的には、負荷平衡ポリシーは以下の通りであり得る。連続するIMSIのセグメントに対応し、SMコンポーネント1とのPDUセッションを確立する少なくとも1つのユーザ機器内にある、複数のユーザ機器が、SMコンポーネント2に割り振られ、それによって、SMコンポーネント2がこれらのユーザ機器のPDUセッションの責任を負い、SMコンポーネント1が少なくとも1つのユーザ機器のうちの残りのユーザ機器のPDUセッションの責任を負う。その代わりに、連続するIMSIのセグメントに対応する複数のユーザ機器がSMコンポーネント1に割り振られ、それによって、SMコンポーネント1がこれらのユーザ機器のPDUセッションの責任を負い、SMコンポーネント1が少なくとも1つのユーザ機器のうちの残りのユーザ機器のPDUセッションの責任を負う。連続するIMSIのセグメントは、少なくとも1つのユーザ機器に対応するIMSIのうちの、いくつかの連続するIMSIであるがすべてのIMSIではないことが可能である。
【０１３５】
たとえば、200個のユーザ機器がSMコンポーネント1とPDUセッションを確立し、これらのユーザ機器に対応するIMSIが1から200であるならば、SMコンポーネント1は、SMコンポーネント1の負荷状態に基づいて負荷平衡ポリシーを定式化し得る。たとえば、SMコンポーネント1は、60から100のIMSIのセグメントに対応する40個のユーザ機器をSMコンポーネント2に割り振ることが可能であり、それによって、SMコンポーネント2は40個のユーザ機器のPDUセッションを完了し、160個の残りのユーザ機器のPDUセッションは依然としてSMコンポーネント1によって完了される。
【０１３６】
その代わりに、負荷平衡ポリシーはIMSIハッシュルールであり得る。たとえば、SMコンポーネント1とのPDUセッションを確立する少なくとも1つのユーザ機器に対応するIMSIは、偶数のIMSIの集合および奇数のIMSIの集合に分類される。偶数のIMSIの集合は、少なくとも1つのユーザ機器に対応するIMSIのうちのすべての偶数のIMSIを含み、奇数のIMSIの集合は、少なくとも1つのユーザ機器に対応するIMSIのうちのすべての奇数のIMSIを含む。SMコンポーネント1は、偶数のIMSIに対応するユーザ機器のPDUセッションを完了し、SMコンポーネント2は、奇数のIMSIに対応するユーザ機器のPDUセッションを完了する。その代わりに、SMコンポーネント2は、偶数のIMSIに対応するユーザ機器のPDUセッションを完了し、SMコンポーネント1は、奇数のIMSIに対応するユーザ機器のPDUセッションを完了する。
【０１３７】
たとえば、200個のユーザ機器がSMコンポーネント1とのPDUセッションを確立し、これらのユーザ機器に対応するIMSIが1から200であるならば、200個のIMSIのうちの偶数のIMSIに対応するユーザ機器はSMコンポーネント2に割り振られることが可能であり、SMコンポーネント2は100個のユーザ機器のPDUセッションを完了し、100個の残りのユーザ機器のPDUセッションは依然としてSMコンポーネント1によって完了される。
【０１３８】
ステップ108:MMコンポーネントが、NF更新要求メッセージを受信し、負荷平衡ポリシーに従ってSMコンポーネント1のコンテキストを更新し、SMコンポーネント2のコンテキストを作成する。
【０１３９】
任意選択で、SMコンポーネント2の識別子のみを含むNF更新要求メッセージを受信した後に、MMコンポーネントは、SMコンポーネント1とのPDUセッションを実行するどのユーザ機器がSMコンポーネント2に割り振られるべきかを自律的に決定し得る。
【０１４０】
その代わりに、SMコンポーネント2の識別子および負荷平衡ポリシーを含むNF更新要求メッセージを受信した後に、MMコンポーネントは、負荷平衡ポリシーに従って、SMコンポーネント1とのPDUセッションを実行するどのユーザ機器がSMコンポーネント2に割り振られるべきかを決定し、MMコンポーネントに記憶されたSMコンポーネント1のコンテキストを検索し、SMコンポーネント1のコンテキスト内の、SMコンポーネント2に割り振られるべきユーザ機器の識別子を削除し、SMコンポーネント2に割り振られるべきユーザ機器の識別子と、PDUセッションのセッション識別子と、SMコンポーネント2の識別子との間の対応関係を、SMコンポーネント2のコンテキストとして記録する。
【０１４１】
ステップ109:MMコンポーネントが、ユーザ機器によって送信されるSMシグナリングを受信し、MMコンポーネントに記憶されたSMコンポーネントのコンテキストを検索し、SMコンポーネントの発見されたコンテキスト内のSMコンポーネントの識別子に基づいて、SMシグナリングをSMコンポーネント(SMコンポーネント2など)に転送する。
【０１４２】
SMシグナリングは、ユーザ機器の識別子およびPDUセッションのセッション識別子を含み得る。
【０１４３】
任意選択で、ユーザ機器によって送信されるSMシグナリングを受信した後に、MMコンポーネントは、SMシグナリングにおいて搬送されるユーザ機器の識別子およびPDUセッションのセッション識別子に基づいて、ユーザ機器の識別子およびPDUセッションの識別子を含むSMコンポーネントのコンテキストについて、MMコンポーネントに記憶されたSMコンポーネントのコンテキストを検索し、SMコンポーネントの発見されたコンテキスト内のSMコンポーネントの識別子に基づいてSMシグナリングをSMコンポーネントに送信する。たとえば、ユーザ機器の識別子およびPDUセッションの識別子がSMコンポーネント1のコンテキストに含まれるならば、MMコンポーネントはSMシグナリングをSMコンポーネント1に送信し、または、ユーザ機器の識別子およびPDUセッションの識別子がSMコンポーネント2のコンテキストに含まれるならば、MMコンポーネントはSMシグナリングをSMコンポーネント2に送信する。
【０１４４】
従って、図3に表わされる技術的解決策が使用された後に、ユーザ機器にサービスするSMコンポーネントが過負荷であるとき、SMコンポーネントと同じSMコンポーネント集合内の別の利用可能なSMコンポーネントが取得され、新しいSMコンポーネントが元のSMコンポーネントのいくつかのサービスを処理し、ユーザ機器のためにサービスを提供する。従って、サービス中断が回避され、元のSMコンポーネントにおける負荷が低減される。加えて、ユーザ機器の参加が負荷共有プロセスにおいて要求されず、すなわち、プロセスはユーザ機器に知られず、それによって、ネットワークサービスの信頼性が改善される。
【０１４５】
本発明の実施形態の別の実装の解決策において、以下の課題、すなわち、ユーザ機器がSMコンポーネントとのセッションを実行するプロセスにおいてSMコンポーネントがシャットダウンしている(動くことができない)、がさらに解決され得る。具体的には、図4に表わされるように、図4は、NFコンポーネントの例外を処理するための別の方法のフローチャートである。方法は図2に表わされるネットワーク内のデバイス間の相互作用を通じて実行され、方法は以下のステップを含み得る。
【０１４６】
ステップ201から203について、ステップ201は図3に表わされるステップ101と同じであり、ステップ202は図3に表わされるステップ102と同じであり、ステップ203は図3に表わされるステップ103と同じである。詳細はここで再び説明されない。
【０１４７】
ステップ204:SMコンポーネント1がシャットダウンしていることをMMコンポーネントが検出する。
【０１４８】
任意選択で、MMコンポーネントは、先行技術を使用することによって、SMコンポーネント1がシャットダウンしていることを検出することが可能であり、それで、詳細な説明は本発明のこの実施形態において繰り返されない。
【０１４９】
ステップ205:MMコンポーネントが、NF発見要求メッセージをNFリポジトリ管理機能コンポーネントに送信する。
【０１５０】
NF発見要求メッセージは、SMコンポーネントが配置されるネットワーク内に代わりのSMコンポーネントが存在するかどうかを問い合わせるようにNFリポジトリ管理機能コンポーネントに要求するために使用される。NF発見要求メッセージは、SMコンポーネント1の識別子を含んでもよく、またはSMコンポーネント1が属する集合の識別子を含んでもよい。代わりのSMコンポーネントは、SMコンポーネント1と同じ機能を有し、SMコンポーネント1と同じSMコンポーネント集合内にあるSMコンポーネントであり得る。
【０１５１】
NFリポジトリ管理機能コンポーネントは、少なくとも1つのSMコンポーネント集合をあらかじめ記憶する。各SMコンポーネント集合は少なくとも1つのSMコンポーネントを含み、1つのSMコンポーネントは1つの識別子に対応し、同じSMコンポーネント集合内のSMコンポーネントは同じネットワーク機能を有する。NFリポジトリ管理機能コンポーネントは、表の形式で少なくとも1つのSMコンポーネント集合を記憶してもよく、または別の形式で少なくとも1つのSMコンポーネント集合を記憶してもよい。これは、本発明のこの実施形態において限定されない。
【０１５２】
具体的には、NFリポジトリ管理機能コンポーネントが少なくとも1つのSMコンポーネント集合をあらかじめ記憶するプロセスが図3aに表わされ、詳細はここで再び説明されない。
【０１５３】
ステップ206:NFリポジトリ管理機能コンポーネントが、NF発見要求メッセージを受信し、少なくとも1つの記憶されたSMコンポーネント集合を検索し、代わりのSMコンポーネント2が存在することを判定し、NF発見応答メッセージをMMコンポーネントに送信する。
【０１５４】
NF発見応答メッセージはSMコンポーネント2の識別子を含んでもよく、NF発見応答メッセージは、SMコンポーネント1が配置されるネットワーク内にSM1コンポーネントと同じ機能を有するSMコンポーネント2が存在し、SMコンポーネント1の負荷を共有することができることをMMコンポーネントに通知するために使用される。
【０１５５】
ステップ206における代わりのSMコンポーネント2が存在することを判定するプロセスは、ステップ106におけるそれと同じであり、詳細はここで再び説明されない。
【０１５６】
ステップ207:MMコンポーネントが、NF発見応答メッセージを受信し、NF発見応答メッセージに基づいてSMコンポーネント1のコンテキストを削除し、SMコンポーネント2のコンテキストを作成する。
【０１５７】
任意選択で、NF発見応答メッセージを受信した後に、MMコンポーネントは、応答メッセージ内のSMコンポーネント2の識別子に基づいて、SMコンポーネント1のすべてのサービスを、処理のためにSMコンポーネント2に割り振ることを決定し、MMコンポーネントに記憶されたSMコンポーネント1のコンテキストを検索し、SMコンポーネント1のコンテキストを削除し、ユーザ機器の識別子と、PDUセッションのセッション識別子と、SMコンポーネント2の識別子との間の対応関係を、SM2コンポーネントのコンテキストとして記録し、ユーザ機器の識別子およびPDUセッションのセッション識別子はSMコンポーネント1内にある。
【０１５８】
ステップ208:MMコンポーネントが、ユーザ機器によって送信されるSMシグナリングを受信し、MMコンポーネントに記憶されたSMコンポーネントのコンテキストを検索し、SMコンポーネントの発見されたコンテキスト内のSMコンポーネントの識別子に基づいてSMシグナリングをSMコンポーネント2に転送する。
【０１５９】
SMシグナリングは、ユーザ機器の識別子およびPDUセッションのセッション識別子を含み得る。
【０１６０】
任意選択で、ユーザ機器によって送信されるSMシグナリングを受信した後に、MMコンポーネントは、SMシグナリングにおいて搬送されるユーザ機器の識別子およびPDUセッションのセッション識別子に基づいて、ユーザ機器の識別子およびPDUセッションの識別子を含むSMコンポーネントのコンテキストについて、MMコンポーネントに記憶されたSMコンポーネントのコンテキストを検索し、SMコンポーネントの発見されたコンテキスト内のSMコンポーネントの識別子に基づいて、SMシグナリングをSMコンポーネントに送信する。
【０１６１】
従って、図4に表わされる技術的解決策が使用された後に、ユーザ機器にサービスするSMコンポーネントがシャットダウンしている(まったく動くことができない)とき、SMコンポーネントと同じSMコンポーネント集合内の別の利用可能なSMコンポーネントが取得され、新しいSMコンポーネントが元のSMコンポーネントのすべてのサービスを処理し、ユーザ機器のためにサービスを提供する。従って、サービス中断が回避される。加えて、ユーザ機器の参加がプロセスにおいて要求されず、すなわち、プロセスはユーザ機器に知られず、それによって、ネットワークサービスの信頼性が改善される。
【０１６２】
本発明の実施形態の別の実装の解決策において、以下の課題、すなわち、ユーザ機器がSDコンポーネントとの少量のデータ送信を実行するプロセスにおいて、SDコンポーネントがシャットダウンしている(動くことができない)、がさらに解決され得る。具体的には、図5に表わされるように、図5は、NFコンポーネントの例外を処理するための別の方法のフローチャートである。方法は図2に表わされるネットワーク内のデバイス間の相互作用を通じて実行され、方法は以下のステップを含み得る。
【０１６３】
ステップ301:SDコンポーネント1がシャットダウンしていることをMMコンポーネントが検出する。
【０１６４】
任意選択で、MMコンポーネントは、先行技術を使用することによって、SDコンポーネント1がシャットダウンしていることを検出することが可能であり、それで、詳細な説明は本発明のこの実施形態において繰り返されない。
【０１６５】
ステップ302:MMコンポーネントが、NF発見要求メッセージをNFリポジトリ管理機能コンポーネントに送信する。
【０１６６】
NF発見要求メッセージは、SDコンポーネントが配置されるネットワーク内に代わりのSDコンポーネントが存在するかどうかを問い合わせるようにNFリポジトリ管理機能コンポーネントに要求するために使用される。NF発見要求メッセージは、SDコンポーネント1が属する集合の識別子を含んでもよく、またはSDコンポーネント1の識別子を含んでもよい。代わりのSDコンポーネントは、SDコンポーネント1と同じ機能を有し、SDコンポーネント1と同じSDコンポーネント集合内にあるSDコンポーネントであり得る。
【０１６７】
NFリポジトリ管理機能コンポーネントは、少なくとも1つのSDコンポーネント集合をあらかじめ記憶する。各SDコンポーネント集合は少なくとも1つのSDコンポーネントを含み、1つのSDコンポーネントは1つの識別子に対応し、同じSDコンポーネント集合内のSDコンポーネントは同じネットワーク機能を有する。NFリポジトリ管理機能コンポーネントは、表の形式で少なくとも1つのSDコンポーネント集合を記憶してもよく、または別の形式で少なくとも1つのSDコンポーネント集合を記憶してもよい。これは本発明のこの実施形態において限定されない。
【０１６８】
具体的には、NFリポジトリ管理機能コンポーネントが少なくとも1つのSDコンポーネント集合をあらかじめ記憶するプロセスが図3aに表わされ、詳細はここで再び説明されない。
【０１６９】
ステップ303:NFリポジトリ管理機能コンポーネントが、NF発見要求メッセージを受信し、少なくとも1つの記憶されたSDコンポーネント集合を検索し、代わりのSDコンポーネント2が存在することを判定し、NF発見応答メッセージをMMコンポーネントに送信する。
【０１７０】
NF発見応答メッセージはSDコンポーネント2の識別子を含むことが可能であり、NF発見応答メッセージは、SD1コンポーネントと同じ機能を有するSDコンポーネント2がコアネットワーク内に存在し、SDコンポーネント1における負荷を共有することができることをSDコンポーネント1に通知するために使用される。
【０１７１】
ステップ303における代わりのSDコンポーネント2が存在することを判定するプロセスは、ステップ106におけるそれと同じであり、詳細はここで再び説明されない。
【０１７２】
ステップ304:MMコンポーネントが、NF発見応答メッセージを受信し、NF発見応答メッセージに基づいてSDコンポーネント1のコンテキストを削除し、SDコンポーネント2のコンテキストを作成する。
【０１７３】
任意選択で、NF発見応答メッセージを受信した後に、MMコンポーネントが、応答メッセージ内のSDコンポーネント2の識別子に基づいて、SDコンポーネント1のすべてのサービスを、処理のためにSDコンポーネント2に割り振ることを決定し、MMコンポーネントに記憶されたSDコンポーネント1のコンテキストを検索し、SDコンポーネント1のコンテキストを削除し、ユーザ機器の識別子と、PDUセッションのセッション識別子と、SDコンポーネント2の識別子との間の対応関係を、SD2コンポーネントのコンテキストとして記録し、ユーザ機器の識別子およびPDUセッションのセッション識別子はSDコンポーネント1内にある。
【０１７４】
ステップ305:MMコンポーネントが、ユーザ機器によって送信されるSDシグナリングを受信し、MMコンポーネントに記憶されたSDコンポーネントのコンテキストを検索し、SDの発見されたコンテキスト内のSDコンポーネントの識別子に基づいてSDシグナリングをSDコンポーネント2に転送する。
【０１７５】
SDシグナリングは、ユーザ機器の識別子およびPDUセッションのセッション識別子を含み得る。
【０１７６】
任意選択で、ユーザ機器によって送信されるSDシグナリングを受信した後に、MMコンポーネントは、SDシグナリングにおいて搬送されるユーザ機器の識別子およびPDUセッションのセッション識別子に基づいて、ユーザ機器の識別子およびPDUセッションの識別子を含むSDコンポーネントのコンテキストについて、MMコンポーネントに記憶されたSDコンポーネントのコンテキストを検索し、SDコンポーネントの発見されたコンテキスト内のSDコンポーネントの識別子に基づいてSDシグナリングをSDコンポーネントに送信する。
【０１７７】
従って、図5に表わされる技術的解決策が使用された後に、ユーザ機器にサービスするSDコンポーネントがシャットダウンしている(まったく動くことができない)とき、SDコンポーネントと同じSDコンポーネント集合内の別の利用可能なSDコンポーネントが取得され、新しいSDコンポーネントが、元のSDコンポーネントのすべてのサービスを処理し、ユーザ機器のためにサービスを提供する。従って、サービス中断が回避される。加えて、ユーザ機器の参加がプロセスにおいて要求されず、すなわち、プロセスはユーザ機器に知られず、それによって、ネットワークサービスの信頼性が改善される。
【０１７８】
上記は、NFリポジトリ管理機能コンポーネントと、第1のNFコンポーネントと、第2のNFコンポーネントとの間の相互作用の観点から、本発明の実施形態において提供されるNFコンポーネントの例外を処理するための方法を主に説明している。上記の機能を達成するために、上記のノードまたはネットワーク要素が、各機能を実現するための対応するハードウェア構造および／またはソフトウェアモジュールを含むことが理解され得る。この明細書において開示される実施形態を参照して説明される各例のユニットおよびアルゴリズムのステップが、本発明においてハードウェアまたはハードウェアとコンピュータソフトウェアの組み合わせの形式で実現されることができることをこの技術分野の当業者は容易に認識し得る。機能がハードウェアによって実現されるか、またはハードウェアを駆動するコンピュータソフトウェアによって実現されるかは、技術的解決策の特定の応用および設計の制約条件に依存する。この技術分野の当業者は、各々の特定の応用のために説明される機能を実現するために異なる方法を使用し得るが、実装は本発明の範囲を超えると考えられるべきではない。
【０１７９】
第1の実施形態から第3の実施形態における方法に基づいて、本発明の実施形態は、MMコンポーネントにおいて発生する例外を処理するためにさらに使用され得る。アクセスネットワークは、コアネットワークにおけるユーザ機器とNFコンポーネントの間のサービス相互作用を完了するために、ユーザ機器とMMコンポーネントの間で交換されるメッセージを転送する。例外がメッセージ交換プロセスにおいてMMコンポーネントにおいて発生するならば、本発明のこの実施形態において提供される解決策は、アクセスネットワークが代わりのMMコンポーネントとメッセージを交換することを保証するために使用されることが可能であり、それによって、ネットワーク側がユーザ機器のためにサービスを提供し続けることができ、ネットワークのネットワークサービス品質が改善される。具体的には、図10に表わされるように、この出願は、以下のステップを含む、NF管理方法を提供する。
【０１８０】
1001.第2のNFコンポーネントがサービスを提供することができないことを第1のネットワーク要素が知る。
【０１８１】
第1のネットワーク要素は、先行技術を使用することによって、第2のNFコンポーネントがサービスを提供することができないことを知る。たとえば、第1のネットワーク要素は、検出技術を使用することによって、第2のネットワーク要素がシャットダウンしていることを発見し、または、端末から第2のNFコンポーネントに情報を送信するとき、第1のネットワーク要素が指定された時間内に応答および同様のものを受信せず、または、第2のNFコンポーネントは、第2のNFコンポーネントがサービスを提供することができないことを第1のネットワーク要素に通知するために通知メッセージを送信する。第1のネットワーク要素は、第1のNFコンポーネント、第2のNFコンポーネント、またはアクセスネットワークANであり得る。たとえば、第1のネットワーク要素がアクセスネットワークANであるならば、第2のNFコンポーネントはMMコンポーネントであってもよく、または、第1のネットワーク要素が第1のNFコンポーネントであり、MMコンポーネントであるならば、第2のNFコンポーネントは、SMコンポーネント、SDコンポーネント、または上で説明された別のNFコンポーネントであってもよく、または、第1のネットワーク要素が第1のNFコンポーネントであり、SMコンポーネントまたはSDコンポーネントであるならば、第2のNFコンポーネントはMMコンポーネントであってもよい。第1のネットワーク要素が第2のNFコンポーネントであるならば、第2のNFコンポーネントはMMコンポーネントであってもよい。
【０１８２】
1002.第1のネットワーク要素が、第2のNFコンポーネントの集合識別子を取得し、代わりのNFコンポーネントを問い合わせることを要求するために、第2のNFコンポーネントの集合識別子をNFリポジトリ管理機能コンポーネントに送信する。
【０１８３】
任意選択で、第1のネットワーク要素は、第2のNFコンポーネントの識別子を送信し得る。
【０１８４】
具体的には、第2のNFコンポーネントの集合識別子は、要求メッセージ、たとえばNF発見要求メッセージ内で搬送され得る。その代わりに、要求メッセージは、第2のNFコンポーネントの識別子をさらに含み得る。
【０１８５】
第1のネットワーク要素が第2のNFコンポーネントの集合識別子を取得する具体的な実装は、以下の方式を含み得る。
【０１８６】
方式1:第1のネットワーク要素が、ユーザ機器によって送信されるメッセージを受信し、メッセージは第2のNFコンポーネントの集合識別子を搬送し、第1のネットワーク要素はユーザ機器によって送信されるメッセージから搬送された集合識別子を取得する。
【０１８７】
方式2:第1のネットワーク要素が、第2のNFコンポーネントの集合識別子をローカルに取得する。たとえば、第1のネットワーク要素が、ユーザ機器によって送信されるメッセージを受信し、メッセージが第2のNFコンポーネントのコンポーネント識別子を搬送し、第2のNFコンポーネントのコンポーネント識別子に基づいて第2のNFコンポーネントの集合識別子をローカルに取得し、または、第1のネットワーク要素が、第2のNFコンポーネントが不具合であることを発見し、第2のNFコンポーネントの集合識別子をローカルに取得する。
【０１８８】
1003.NFリポジトリ管理機能コンポーネントが、第2のNFコンポーネントの集合識別子に基づいて代わりの第3のNFコンポーネントの識別子を取得し、第3のNFコンポーネントおよび第2のNFコンポーネントは同じ集合に属する。
【０１８９】
第3のNFコンポーネントの1つ以上の識別子があり得る。第3のNFコンポーネントの識別子は第2のNFコンポーネントの識別子とは異なり、すなわち、第3のNFコンポーネントおよび第2のNFコンポーネントは同じコンポーネントではない。
【０１９０】
具体的には、ステップ1003の実装は以下の通りであり得る。すなわち、NFリポジトリ管理機能コンポーネントが、第2のNFコンポーネントの集合識別子に基づいて、第2のNFコンポーネントが属するNFコンポーネント集合を知り、第2のNFコンポーネントが属するNFコンポーネント集合から1つ以上のNFコンポーネントを代わりの第3のNFコンポーネントとして選択する。
【０１９１】
任意選択で、この実施形態は以下のステップをさらに含み得る。
【０１９２】
NFリポジトリ管理機能コンポーネントは、ネットワーク管理機能サーバ(詳細について図3aを参照されたく、図3aにおいて説明のためにSMコンポーネントが例として使用される)、またはNFコンポーネント(詳細について図3bを参照されたく、図3bにおいて説明のためにSMコンポーネントが例として使用される)から登録要求メッセージを受信し、登録要求メッセージは、少なくとも、NFコンポーネントの識別子およびNFコンポーネントの集合識別子を含む。NFコンポーネントは第2のNFコンポーネントおよび／または第3のNFコンポーネントを含み、第2のNFコンポーネントは第3のNFコンポーネントと同じ集合識別子を有する。このようにして、ネットワーク管理機能サーバまたはNFコンポーネントが集合識別子をNFリポジトリ管理機能コンポーネントに送信するので、NFリポジトリ管理機能コンポーネントは、同じ集合識別子に基づいてNFコンポーネント集合を生成する(詳細な生成プロセスについて、図3aまたは図3bにおける説明を参照されたい)。
【０１９３】
1004.NFリポジトリ管理機能コンポーネントが、第3のNFコンポーネントの識別子を第1のネットワーク要素に送信し、第3のNFコンポーネントの1つ以上の識別子があり得る。
【０１９４】
1005.第3のNFコンポーネントがユーザ機器のためにサービスを提供することを第1のネットワーク要素が決定する。
【０１９５】
複数の第3のNFコンポーネントがあるならば、第1のネットワーク要素は、サービスを提供するために第3のNFコンポーネントのうちの1つを選択してもよく、またはサービスを提供するために必要に応じて複数の第3のNFコンポーネントを選択してもよい。
【０１９６】
任意選択で、この実施形態において、第1のネットワーク要素が第2のNFコンポーネントであるとき、すなわち、それ自身がサービスを提供することができないことを発見した後に、第2のNFコンポーネントは、代わりの第3のNFコンポーネントの識別子を取得する。この場合、ステップ1005は、第2のNFコンポーネントにより、第3のNFコンポーネントの識別子をアクセスネットワークに送信するステップを含むことが可能であり、すなわち、第3のNFコンポーネントが第2のNFコンポーネントのサービスを引き継ぐことを第2のNFコンポーネントがアクセスネットワークに通知する。
【０１９７】
任意選択で、この実施形態において、第1のネットワーク要素が第1のNFコンポーネントまたはアクセスネットワークであるとき、ステップ1005は、以下の方式を含み得る。
【０１９８】
方式1:第1のNFコンポーネントまたはアクセスネットワークが、ユーザ機器と第2のNFコンポーネントの間の対応関係を、ユーザ機器と第3のNFコンポーネントの間の対応関係に更新する。ユーザ機器または別のネットワークデバイスによって第2のNFコンポーネントへ送信されるべき情報を続いて受信するとき、第1のNFコンポーネントまたはアクセスネットワークは、更新された対応関係に基づいて第3のNFコンポーネントに情報を送信し得る。第1のNFコンポーネントがSMコンポーネントであり、第2のNFコンポーネントがMMコンポーネントであるとき、対応関係は、PDUセッションの識別子をさらに含む。
【０１９９】
方式2:ユーザ機器が第2のNFコンポーネントにアクセスすることを要求するならば、ステップ1005は、ユーザ機器によって第2のNFコンポーネントに送信されるべき情報を、第1のNFコンポーネントまたはアクセスネットワークにより、第3のNFコンポーネントに送信するステップを含む。ユーザ機器によって送信されるべき情報は、送信プロセスにおいて異なるメッセージを介して送信され得ることが理解され得る。たとえば、アクセスネットワークはユーザ機器から要求メッセージを受信し、メッセージが情報を搬送し、第1のネットワーク要素はメッセージを第3のNFコンポーネントに直接に送信し、または、第1のネットワーク要素が情報を抽出し、再カプセル化を実行して新しいメッセージを生成し、次いでメッセージを第3のNFコンポーネントに送信する。
【０２００】
任意選択で、この実施形態において、第1のネットワーク要素がアクセスネットワークであるとき、第1のネットワーク要素により、第2のNFコンポーネントの集合識別子をNFリポジトリ管理機能コンポーネントに送信するステップ1002は、アクセスネットワークにより、NF発見管理機能を介して第2のNFコンポーネントの集合識別子をNFリポジトリ管理機能コンポーネントに送信するステップを含み、NFリポジトリ管理機能コンポーネントにより、第3のNFコンポーネントの識別子を第1のネットワーク要素に送信するステップ1004は、NFリポジトリ管理機能コンポーネントにより、NF発見管理機能を介して第3のNFコンポーネントの識別子をアクセスネットワークに送信するステップを含む。第2のNFコンポーネントの集合識別子および第3のNFコンポーネントの識別子が、送信プロセスにおいて異なる形式のメッセージを使用することによって送信され得ることが理解され得る。たとえば、アクセスネットワークは、NF発見管理機能を介して第2のNFコンポーネントの集合識別子をNFリポジトリ管理機能コンポーネントに送信し、アクセスネットワークによって送信される第2のNFコンポーネントの集合識別子を受信した後に、NF発見管理機能は、再カプセル化を通じて新しいメッセージを生成し、メッセージをNFリポジトリ管理機能コンポーネントに送信し得る。
【０２０１】
ステップ1001とステップ1002から1004の間に順序がないことが理解され得る。言い換えると、第1のネットワーク要素は、第2のNFコンポーネントがサービスを提供することができないことを知り、次いで、NFリポジトリ管理機能コンポーネントから代わりの第3のNFコンポーネントの識別子を取得し、第3のNFコンポーネントがユーザ機器のためにサービスを提供することを決定することが可能であり、または、第1のネットワーク要素は、NFリポジトリ管理機能コンポーネントから代わりの第3のNFコンポーネントの識別子を取得することが可能であり、第2のNFコンポーネントがサービスを提供することができないことを知るとき、第1のネットワーク要素は、第3のNFコンポーネントの取得された識別子に基づいて、第3のNFコンポーネントがユーザ機器のためにサービスを提供することを決定する。
【０２０２】
図10における実施形態に基づいて、例において、図11に表わされるように、図11は、NFコンポーネントの例外を処理するための別の方法のフローチャートである。方法は、図2に表わされるネットワーク内のデバイス間の相互作用を通じて実行される。この実施形態において、アクセスネットワークは第1のネットワーク要素の例として使用され、MMコンポーネント1は第2のNFコンポーネントの例として使用され、MMコンポーネント2は第3のNFコンポーネントの例として使用される。方法は以下のステップを含み得る。
【０２０３】
ステップ1101:アクセスネットワークANが、ユーザ機器とMMコンポーネント1の間のメッセージを送信する。
【０２０４】
ユーザ機器とMMコンポーネント1の間のメッセージは、データ(SMSデータなど)または制御プレーンシグナリングを含む(たとえば、シグナリングは、アクセスおよびモビリティ管理タイプのシグナリング、セッション管理タイプのシグナリング、または同様のものであり得る)。ANは、MMコンポーネント1の取得された識別子と、MMコンポーネント1が属するMM集合の取得された識別子とを記憶する。
【０２０５】
ステップ1102:MMコンポーネント1がサービスを提供することができないことをアクセスネットワークが知る。
【０２０６】
たとえば、ANは、先行技術を使用することによって、MMコンポーネント1がシャットダウンしていることを検出し得る。詳細について図10の実施形態における説明を参照されたく、それで、詳細な説明は本発明のこの実施形態において繰り返されない。
【０２０７】
ステップ1103:ANが、NF発見要求メッセージをNFリポジトリ管理機能コンポーネントに送信する。
【０２０８】
NF発見要求メッセージは、代わりのMMコンポーネントがMMコンポーネント1に対応するネットワーク内に存在するかどうかを問い合わせるようにNFリポジトリ管理機能コンポーネントに要求するために使用される。NF発見要求メッセージは、MMコンポーネント1が属する集合の識別子を含んでもよく、または、MMコンポーネント1の識別子をさらに含んでもよい。代わりのMMコンポーネントは、MMコンポーネント1と同じ機能を有し、MMコンポーネント1と同じMMコンポーネント集合内にあるMMコンポーネントであり得る。
【０２０９】
ステップ1104:NFリポジトリ管理機能コンポーネントが、NF発見要求メッセージを受信し、少なくとも1つの記憶されたMMコンポーネント集合を検索し、代わりのMMコンポーネント2の識別子を取得する。
【０２１０】
MMコンポーネント2の識別子は、MMコンポーネント1の識別子とは異なる。
【０２１１】
取得プロセスについて、ステップ1003における説明を参照されたい。たとえば、NFリポジトリ管理機能コンポーネントは、少なくとも1つのMMコンポーネント集合をあらかじめ記憶する。MMコンポーネント集合は少なくとも1つのMMコンポーネントを含み、1つのMMコンポーネントは1つのコンポーネント識別子に対応し、同じMMコンポーネント集合内のMMコンポーネントは同じネットワーク機能NFを有する。NFリポジトリ管理機能コンポーネントは、表の形式で少なくとも1つのMMコンポーネント集合を記憶してもよく、または、別の形式で少なくとも1つのMMコンポーネント集合を記憶してもよい。これは、本発明のこの実施形態において限定されない。
【０２１２】
ステップ1105:NF発見応答メッセージをアクセスネットワークに送信する。
【０２１３】
NF発見応答メッセージはMMコンポーネント2の識別子を含むことが可能であり、NF発見応答メッセージは、MMコンポーネント1と同じ機能を有するMMコンポーネント2がコアネットワーク内に存在し、MMコンポーネント1における負荷を共有することができることをアクセスネットワークに通知するために使用される。
【０２１４】
ステップ1106:アクセスネットワークが、NF発見応答メッセージを受信し、NF発見応答メッセージに基づいて、ユーザ機器と、コアネットワーク内のMMコンポーネントとの間でメッセージを送信するために使用されるコンテキスト情報を更新する。
【０２１５】
たとえば、NF発見応答メッセージを受信した後に、アクセスネットワークが、応答メッセージ内のMMコンポーネント2の識別子に基づいて、MMコンポーネント1のサービスを、処理のためにMMコンポーネント2に割り振ることを決定し、ユーザ機器とMMコンポーネント1の識別子の間の記憶された対応関係を、ユーザ機器とMMコンポーネント2の識別子の間の対応関係に変更する。
【０２１６】
ステップ1107:アクセスネットワークが、ユーザ機器によって送信される情報(たとえば、情報は制御プレーンシグナリングにおいて搬送される)を受信し、ユーザ機器と、コアネットワーク内のMMコンポーネント2との間でメッセージを送信するために使用され、アクセスネットワークに記憶されたコンテキスト情報を検索し、MMコンポーネント2の発見された識別子に基づいて、ユーザ機器によって送信される情報をMMコンポーネント2に送信する。
【０２１７】
制御プレーンシグナリングは、ユーザ機器の識別子と制御プレーンシグナリングのタイプの識別子とを含み得る。
【０２１８】
図10における実施形態に基づいて、例において、図12に表わされるように、図12は、NFコンポーネントの例外を処理するための別の方法のフローチャートである。方法は、図2に表わされるネットワーク内のデバイス間の相互作用を通じて実行される。この実施形態において、アクセスネットワークは第1のネットワーク要素の例として使用され、MMコンポーネント1は第2のNFコンポーネントの例として使用され、MMコンポーネント2は第3のNFコンポーネントの例として使用される。方法は以下のステップを含み得る。
【０２１９】
ステップ1201および1202について、ステップ1101および1202における説明をそれぞれ参照されたい。
【０２２０】
ステップ1203:ANが、アクセスネットワーク側のNF発見管理機能を介して、NF発見要求メッセージをNFリポジトリ管理機能コンポーネントに送信する。
【０２２１】
アクセスネットワーク側のNF発見管理機能は、アクセスネットワークにおいて配備され、NF発見管理機能は、ANからNF発見要求を受信し、ANがコアネットワーク内のMMコンポーネントを発見することを許容するかどうかを確認し、NF発見要求をNFリポジトリ管理機能コンポーネントにさらに送信する。
【０２２２】
ステップ1204および1205について、ステップ1104および1105における説明を参照されたい。
【０２２３】
ステップ1206:アクセスネットワークが、アクセスネットワーク側のNF発見管理機能を介してNF発見応答メッセージを受信し、NF発見応答メッセージに基づいて、ユーザ機器と、コアネットワーク内のMMコンポーネントとの間でメッセージを送信するために使用されるコンテキスト情報を更新する。
【０２２４】
任意選択で、NF発見応答メッセージを受信した後に、アクセスネットワーク側のNF発見管理機能は、NF発見応答メッセージをANにさらに送信する。ANは、応答メッセージ内のMMコンポーネント2の識別子に基づいて、MMコンポーネント1のすべてのサービスを、処理のためにMMコンポーネント2に割り振ることを決定し、ユーザ機器とMMコンポーネント1の識別子の間の記憶された対応関係を、ユーザ機器とMMコンポーネント2の識別子の間の対応関係に変更する。
【０２２５】
ステップ1207について、ステップ1107における説明を参照されたい。
【０２２６】
図10における実施形態に基づいて、具体的に図13に表わされる例において、図13は、NFコンポーネントの例外を処理するための別の方法のフローチャートである。方法は、図2に表わされるネットワーク内のデバイス間の相互作用を通じて実行される。この実施形態において、第1のネットワーク要素は第2のNFコンポーネントでもあり、MMコンポーネント1が第2のNFコンポーネントの例として使用され、MMコンポーネント2が第3のNFコンポーネントの例として使用される。方法は以下のステップを含み得る。
【０２２７】
ステップ1301:アクセスネットワークANが、ユーザ機器とMMコンポーネント1の間でメッセージを送信する。
【０２２８】
ステップの詳細について、ステップ1101を参照されたい。詳細はここで再び説明されない。
【０２２９】
ステップ1302:MMコンポーネント1が、それ自身がサービスを提供し続けることができないことを判定する。
【０２３０】
MMコンポーネント1は、先行技術を使用することによって、MMコンポーネント1において例外が発生し、その結果、MMコンポーネント1がユーザ機器からのメッセージおよび同様のものを処理し続けることができず、代わりのMMコンポーネントを有効にする必要があることを検出することが可能であり、それで、詳細な説明は本発明のこの実施形態において繰り返されない。
【０２３１】
ステップ1303:MMコンポーネント1が、NF発見要求メッセージをNFリポジトリ管理機能コンポーネントに送信する。
【０２３２】
ステップの詳細について、ステップ1103を参照されたい。NF発見要求メッセージは、MMコンポーネント1が配置されるネットワーク内に代わりのMMコンポーネントが存在するかどうかを問い合わせるようにNFリポジトリ管理機能コンポーネントに要求するために使用される。NF発見要求メッセージは、MMコンポーネント1が属する集合の識別子を含んでもよく、または、MMコンポーネント1の識別子を含んでもよい。代わりのMMコンポーネントは、MMコンポーネント1と同じ機能を有し、MMコンポーネント1と同じMMコンポーネント集合内にあるMMコンポーネントであり得る。
【０２３３】
ステップ1304:NFリポジトリ管理機能コンポーネントが、代わりのMMコンポーネント2の識別子を取得する。
【０２３４】
ステップの詳細について、ステップ1104を参照されたい。詳細はここで再び説明されない。
【０２３５】
ステップ1305:NFリポジトリ管理機能コンポーネントが、NF発見要求メッセージを受信し、少なくとも1つの記憶されたMMコンポーネント集合を検索し、代わりのMMコンポーネント2が存在することを判定し、NF発見応答メッセージをMMコンポーネント1に送信する。
【０２３６】
NF発見応答メッセージはMMコンポーネント2の識別子を含むことが可能であり、NF発見応答メッセージは、MMコンポーネント1と同じ機能を有するMMコンポーネント2がコアネットワーク内に存在し、MMコンポーネント1における負荷を共有することができることをMMコンポーネント1に通知するために使用される。
【０２３７】
ステップ1306:MMコンポーネント1が、NF発見応答メッセージを受信し、NF発見応答メッセージに基づいてMMコンポーネント更新メッセージをアクセスネットワークに送信する。
【０２３８】
MMコンポーネント更新メッセージは、MMコンポーネント2の識別子を含む。
【０２３９】
任意選択で、MMコンポーネント1は、MMコンポーネント1への接続を確立するアクセスネットワークの識別子を記憶し、MMコンポーネント更新メッセージをアクセスネットワークの識別子に対応するアクセスネットワークに送信する。
【０２４０】
ステップ1307:アクセスネットワークが、MMコンポーネント更新メッセージを受信し、MMコンポーネント更新メッセージに基づいて、ユーザ機器と、コアネットワーク内のMMコンポーネントとの間でメッセージを送信するために使用されるコンテキスト情報を更新する。
【０２４１】
任意選択で、MMコンポーネント更新メッセージを受信した後に、ANは、メッセージ内のMMコンポーネント2の識別子に基づいて、MMコンポーネント1のすべてのサービスを、処理のためにMMコンポーネント2に割り振ることを決定し、ユーザ機器とMMコンポーネント1の識別子の間の記憶された対応関係を、ユーザ機器とMMコンポーネント2の識別子の間の対応関係に変更する。
【０２４２】
ステップ1308はステップ1107と同じであり得る。詳細はここで再び説明されない。
【０２４３】
上記の実施形態における方法に基づいて、本発明の実施形態は、MMコンポーネントにおいて発生する例外を処理するためにさらに使用され得る。MMコンポーネント1は、ユーザ機器と、コアネットワーク内のNFコンポーネントとの間のサービス相互作用を完了するために、ユーザ機器と別のコアネットワークコンポーネント(SMコンポーネントまたはSDコンポーネントなど)の間で交換されるメッセージを転送する。例外がメッセージ交換プロセスにおいてMMコンポーネント1において発生するならば、別のコアネットワークコンポーネント(SMコンポーネントまたはSDコンポーネントなど)は、MMコンポーネント1の集合識別子を介してNFリポジトリ管理機能コンポーネントから代わりのMMコンポーネント2を要求することが可能であり、それによって、ネットワーク側がユーザ機器のためにサービスを提供し続けることができ、ネットワークサービス品質およびネットワークの信頼性が改善される。具体的には、図14に表わされるように、図14は、NFコンポーネントの例外を処理するための別の方法のフローチャートである。方法は、図2に表わされるネットワーク内のデバイス間の相互作用を通じて実行される。この実施形態において、SMコンポーネントが第1のネットワーク要素の例として使用され、MMコンポーネント1が第2のNFコンポーネントの例として使用され、MMコンポーネント2が第3のNFコンポーネントの例として使用される。方法は以下のステップを含み得る。
【０２４４】
ステップ1401:アクセスネットワークANが、ユーザ機器とMMコンポーネント1の間でメッセージを送信する。
【０２４５】
ステップ1402: MMコンポーネント1がシャットダウンしていることをSMコンポーネントが検出する。
【０２４６】
任意選択で、SMコンポーネントは、先行技術を使用することによって、MMコンポーネント1がシャットダウンしていることを検出し得る。詳細について図10の実施形態における関連する説明を参照されたく、それで、詳細な説明は本発明のこの実施形態において繰り返されない。
【０２４７】
ステップ1403:SMコンポーネントが、NF発見要求メッセージをNFリポジトリ管理機能コンポーネントに送信する。
【０２４８】
NF発見要求メッセージは、MMコンポーネント1が配置されるネットワーク内に代わりのMMコンポーネントが存在するかどうかを問い合わせるようにNFリポジトリ管理機能コンポーネントに要求するために使用される。NF発見要求メッセージは、MMコンポーネント1が属する集合の識別子を含んでもよく、または、MMコンポーネント1の識別子をさらに含んでもよい。代わりのMMコンポーネントは、MMコンポーネント1と同じ機能を有し、MMコンポーネント1と同じコンポーネント集合内にあるMMコンポーネントであり得る。加えて、ネットワーク動作の信頼性を改善するために、同じMMコンポーネント集合内にある、代わりのMMコンポーネントとMMコンポーネント1は、同じコンテキストデータベースを共有し、MMコンポーネント1は、コンテキストデータベースにユーザ機器のコンテキストデータを記憶する。従って、MMコンポーネント1が不具合であるとき、代わりのMMコンポーネントは、ユーザ機器の識別子に基づいてコンテキストデータベースからユーザ機器のコンテキストデータを取得し、ユーザ機器のコンテキストデータに基づいてユーザ機器のためにサービスをさらに提供し得る。
【０２４９】
NFリポジトリ管理機能コンポーネントは、少なくとも1つのMMコンポーネント集合をあらかじめ記憶する。各MMコンポーネント集合は少なくとも1つのMMコンポーネントを含み、1つのMMコンポーネントは1つの識別子に対応し、同じMMコンポーネント集合内のMMコンポーネントは同じネットワーク機能を有する。NFリポジトリ管理機能コンポーネントは、表の形式で少なくとも1つのMMコンポーネント集合を記憶してもよく、または、別の形式で少なくとも1つのMMコンポーネント集合を記憶してもよい。これは本発明のこの実施形態において限定されない。
【０２５０】
具体的には、NFリポジトリ管理機能コンポーネントが少なくとも1つのMMコンポーネント集合をあらかじめ記憶するプロセスについて、上記の実施形態、たとえば図10における実施形態および図3aまたは図3bにおける説明を参照されたい。詳細はここで再び説明されない。
【０２５１】
ステップ1404:NFリポジトリ管理機能コンポーネントが、NF発見要求メッセージを受信し、少なくとも1つの記憶されたMMコンポーネント集合を検索し、代わりのMMコンポーネント2が存在することを判定し、NF発見応答メッセージをSMコンポーネントに送信する。
【０２５２】
NF発見応答メッセージは、MMコンポーネント2の識別子を含むことが可能であり、NF発見応答メッセージは、MMコンポーネント1と同じ機能を有するMMコンポーネント2がコアネットワーク内に存在し、MMコンポーネント1における負荷を共有することができることをSMコンポーネントに通知するために使用される。
【０２５３】
ステップ1403における代わりのMMコンポーネント2が存在することを判定するプロセスはステップ106におけるそれと同じであり、詳細はここで再び説明されない。
【０２５４】
ステップ1405:SMコンポーネントが、NF発見応答メッセージを受信し、NF発見応答メッセージ内のMMコンポーネント2の識別子に基づいて、SMコンポーネントに記憶されたユーザ機器のコンテキストを検索し、ユーザ機器のコンテキスト内にある、ユーザ機器の識別子と、ユーザ機器のPDUセッションの識別子と、MMコンポーネント1の識別子との間の対応関係についての情報内のMMコンポーネント1の識別子を、MMコンポーネント2の識別子に更新する。
【０２５５】
ステップ1406:SMコンポーネントがPDUセッションメッセージをユーザ機器に送信する必要があるとき、SMコンポーネントは、ステップ1404において更新され、SMコンポーネントに記憶されたユーザ機器のコンテキストに基づいて、MMコンポーネント2を介してPDUセッションメッセージをユーザ機器に送信することを決定し、SMコンポーネントは、ユーザ機器に送信されるべきPDUセッションメッセージをMMコンポーネント2に送信し、PDUセッションメッセージはユーザ機器の識別子を含む。
【０２５６】
ステップ1407:MMコンポーネント2が、SMコンポーネントによって送信されるPDUセッションメッセージを受信し、PDUセッションメッセージ内のユーザ機器の識別子に基づいて、MMコンポーネント1によって使用されるコンテキストデータベースからユーザ機器のコンテキストデータを取得し、ユーザ機器のコンテキストデータは、ユーザ機器とコアネットワークの間の制御プレーン接続のコンテキストデータ、ユーザ機器のためにネットワークアクセスを提供するアクセスネットワークの識別子、ユーザ機器のために実行されるアクセスおよびモビリティ管理のコンテキストデータ、および同様のものを含み、それによって、MMコンポーネント2は、ユーザ機器とコアネットワークの間の制御プレーン接続を回復し、MMコンポーネント2は、ユーザ機器とコアネットワークの間の制御プレーン接続を介して、PDUセッションメッセージをユーザ機器にさらに送信する。
【０２５７】
従って、図14に表わされる技術的解決策が使用された後に、ユーザ機器にサービスするMMコンポーネント1がシャットダウンしている(まったく動くことができない)とき、MMコンポーネント1と同じMMコンポーネント集合内の代わりのMMコンポーネントが取得され、代わりのコンポーネントが、MMコンポーネント1のすべてのサービスを処理し、ユーザ機器、コアネットワーク内のSMコンポーネント、および同様のもののためにサービスを提供する。従って、サービス中断が回避される。加えて、ユーザ機器の参加がプロセスにおいて要求されず、すなわち、プロセスがユーザ機器に知られず、それによって、ネットワークサービスの信頼性が改善される。
【０２５８】
本発明の実施形態において、図6から図8を参照して、NFリポジトリ管理機能コンポーネント、第1のNFコンポーネント、および第2のNFコンポーネントは、上記の方法の例に基づいて機能モジュールに別々に区分され得る。たとえば、各機能モジュールは対応する機能に基づく区分を通じて取得されてもよく、または、2つ以上の機能が1つの処理モジュールに統合されてもよい。統合されるモジュールは、ハードウェアの形式で実現されてもよく、またはソフトウェア機能モジュールの形式で実現されてもよい。本発明の実施形態におけるモジュールの区分は例であり、単に論理的な機能の区分であり、実際の実装において他の区分であってもよいことが留意されるべきである。
【０２５９】
対応する機能に基づく区分を通じて取得される各機能モジュールが使用されるとき、図6は、本発明の実施形態におけるNFリポジトリ管理機能コンポーネント10の可能な概略構造図である。図6に表わされるように、NFリポジトリ管理機能コンポーネント10は、方法の実施形態においてNFリポジトリ管理機能コンポーネントによって実行される方法を実現するように構成され得る。NFリポジトリ管理機能コンポーネント10は、受信ユニット101、判定ユニット102、および送信ユニット103を含み得る。受信ユニット101は、図3および図4におけるステップ105、ステップ205、およびステップ302を実行する際にNFリポジトリ管理機能コンポーネントをサポートするように構成される。判定ユニット102は、図3から図5におけるステップ106、ステップ206、およびステップ303を実行する際にNFリポジトリ管理機能コンポーネントをサポートするように構成される。さらに、図6に表わされるように、NFリポジトリ管理機能コンポーネント10は、生成ユニット104をさらに含み得る。生成ユニット104は、少なくとも1つのNFコンポーネント集合を生成する際にNFリポジトリ管理機能コンポーネントをサポートするように構成される。
【０２６０】
統合されたユニットが使用されるとき、図6に表わされる受信ユニット101および送信ユニット103は、図1aに表わされるNFリポジトリ管理機能コンポーネント300の通信インターフェース3011に統合されてもよく、通信インターフェース3011は、受信ユニット101および送信ユニット103の機能を実行する。図6に表わされる判定ユニット102および生成ユニット104は、図1aに表わされるNFリポジトリ管理機能コンポーネント300のプロセッサ3012に統合されてもよく、プロセッサ3012は、判定ユニット102および生成ユニット104の機能を実行する。さらに、NFリポジトリ管理機能コンポーネント10は、記憶モジュールをさらに含み得る。記憶モジュールは、NFリポジトリ管理機能コンポーネント10のプログラムコードおよびデータを記憶するように構成される。処理モジュールは、図1aに表わされるNFリポジトリ管理機能コンポーネント300のエンティティ構造におけるメモリ3013であり得る。
【０２６１】
対応する機能に基づく区分を通じて取得された各機能モジュールが使用されるとき、図7は本発明の実施形態における第1のNFコンポーネント20の可能な概略構造図である。図7に表わされるように、第1のNFコンポーネント20は、方法の実施形態において第1のNFコンポーネントによって実行される方法を実現するように構成され得る。第1のNFコンポーネント20は、受信ユニット201および送信ユニット202を含み得る。受信ユニット201は、図3から図5におけるステップ102、ステップ107、ステップ202、ステップ206、およびステップ303を実行する際に第1のNFコンポーネント20をサポートするように構成される。送信ユニット202は、図3から図5におけるステップ103、ステップ109、ステップ203、ステップ205、ステップ208、ステップ302、およびステップ305を実行する際に第1のNFコンポーネント20をサポートするように構成される。さらに、第1のNFコンポーネント20は、作成ユニット203および検出ユニット204をさらに含み得る。作成ユニット203は、図3から図5におけるステップ103、ステップ203、ステップ207、およびステップ304を実行する際に第1のNFコンポーネント20をサポートするように構成される。検出ユニット204は、図3から図5におけるステップ108、ステップ204、ステップ203、ステップ205、ステップ208、およびステップ301を実行する際に第1のNFコンポーネント20をサポートするように構成される。
【０２６２】
統合されたユニットが使用されるとき、図7に表わされる受信ユニット201および送信ユニット202は、図1aに表わされる第1のNFコンポーネント100の通信インターフェース1011に統合されてもよく、通信インターフェース1011は、受信ユニット201および送信ユニット202の機能を実行する。図7に表わされる作成ユニット203および検出ユニット204は、図1aに表わされる第1のNFコンポーネント100のプロセッサ1012に統合されてもよく、プロセッサ1012は、作成ユニット203および検出ユニット204の機能を実行する。さらに、第1のNFコンポーネント20は記憶モジュールをさらに含み得る。記憶モジュールは、第1のNFコンポーネント20のプログラムコードおよびデータを記憶するように構成される。処理モジュールは、図1aに表わされる第1のNFコンポーネント100のエンティティ構造におけるメモリ1013であり得る。
【０２６３】
対応する機能に基づく区分を通じて取得される各機能モジュールが使用されるとき、図8は、本発明の実施形態における第2のNFコンポーネント30の可能な概略構造図である。図8に表わされるように、第2のNFコンポーネント30は、方法の実施形態において第2のNFコンポーネントによって実行される方法を実現するように構成され得る。第2のNF30は、送信ユニット301および受信ユニット302を含み得る。送信ユニット301は、図3から図5に表わされるステップ102、ステップ105、ステップ107、およびステップ202を実行する際に第2のNFコンポーネント30をサポートするように構成される。受信ユニット302は、図3から図5に表わされるステップ103、ステップ106、およびステップ203を実行する際に第2のNFコンポーネント30をサポートするように構成される。さらに、図8に表わされるように、第2のNFコンポーネント30は検出ユニット303をさらに含み得る。検出ユニット303は、図3から図5に表わされるステップ104を実行する際に第2のNFコンポーネント30をサポートするように構成される。
【０２６４】
統合されたユニットが使用されるとき、図8に表わされる送信ユニット301および受信ユニット302は、図1aに表わされる第2のNFコンポーネント200の通信インターフェース2011に統合されてもよく、通信インターフェース2011は、送信ユニット301および受信ユニット302の機能を実行する。図8に表わされる検出ユニット303は、図1aに表わされる第2のNFコンポーネント200のプロセッサ2012に統合されてもよく、プロセッサ2012は検出ユニット303の機能を実行する。さらに、第2のNFコンポーネント20は記憶モジュールをさらに含み得る。記憶モジュールは、第2のNFコンポーネント20のプログラムコードおよびデータを記憶するように構成される。処理モジュールは、図1aに表わされる第2のNFコンポーネント200のエンティティ構造におけるメモリ2013であり得る。
【０２６５】
図15は、本発明の実施形態におけるNFリポジトリ管理機能コンポーネントの別の可能な概略構造図である。NFリポジトリ管理機能コンポーネントは、図10から図14における方法の実施形態におけるNFリポジトリ管理機能コンポーネントの機能を実現するように構成される。NFリポジトリ管理機能コンポーネント10は、受信ユニット1501、処理ユニット1502、および送信ユニット1503を含み得る。受信ユニット1501および送信ユニット1503は、上記の実施形態において別のネットワーク要素から情報を受信する、または別のネットワーク要素に情報を送信する際に、NFリポジトリ管理機能コンポーネントをサポートするように構成される。処理ユニット1502は様々な処理機能を実行する。たとえば、受信ユニット1501は、図10から図14におけるステップ1002、ステップ1103、ステップ1203、ステップ1303、またはステップ1403などの関連するステップを実行する際にNFリポジトリ管理機能コンポーネントをサポートするように構成され、処理ユニット1502は、図10から図14におけるステップ1003、ステップ1104、ステップ1204、ステップ1304、またはステップ1404などの関連するステップを実行する際にNFリポジトリ管理機能コンポーネントをサポートするように構成され、送信ユニット1503は、図10から図14におけるステップ1004、ステップ1105、ステップ1205、ステップ1305、またはステップ1405などの関連するステップを実行する際にNFリポジトリ管理機能コンポーネントをサポートするように構成される。任意選択で、処理ユニット1502は、少なくとも1つのNFコンポーネント集合を生成する際にNFリポジトリ管理機能コンポーネントをサポートするように構成される。任意選択で、NFリポジトリ管理機能コンポーネントは記憶モジュール(図に表わされていない)をさらに含むことが可能であり、記憶モジュールは、NFリポジトリ管理機能コンポーネントのプログラムコードおよびデータを記憶するように構成される。
【０２６６】
図15は、本発明の実施形態における第1のネットワーク要素の可能な概略構造図としてさらに使用され得る。第1のネットワーク要素は、図10から図14における方法の実施形態における第1のネットワーク要素、アクセスネットワークAN、MMコンポーネント1、またはSMコンポーネントの機能を実現するように構成される。第1のネットワーク要素は、受信ユニット1501、処理ユニット1502、および送信ユニット1503を含み得る。受信ユニット1501および送信ユニット1503は、上記の実施形態において別のネットワーク要素から情報を受信する、または別のネットワーク要素に情報を送信する際に、第1のネットワーク要素をサポートするように構成される。処理ユニット1502は様々な処理機能を実行する。たとえば、受信ユニット1501は、図10から図14におけるステップ1004、ステップ1106、ステップ1206、ステップ1306、またはステップ1405などの関連するステップを実行する際に第1のネットワーク要素をサポートするように構成され、処理ユニット1502は、図10から図14におけるステップ1001、ステップ1005、ステップ1102、ステップ1106、ステップ1202、ステップ1206、ステップ1302、ステップ1402、またはステップ1406などの関連するステップを実行する際に第1のネットワーク要素をサポートするように構成され、受信ユニット1501は、図10から図14におけるステップ1002、ステップ1103、ステップ1203、ステップ1303、ステップ1403、またはステップ1407などの関連するステップを実行する際に第1のネットワーク要素をサポートするように構成される。任意選択で、第1のネットワーク要素は、記憶モジュール(図に表わされていない)をさらに含むことが可能であり、記憶モジュールは、第1のネットワーク要素のプログラムコードおよびデータを記憶するように構成される。
【０２６７】
図15における処理ユニット1502は、プロセッサまたはコントローラであってもよく、たとえば、中央処理ユニット(Central Processing Unit、CPU)、汎用プロセッサ、デジタル信号プロセッサ(Digital Signal Processor、DSP)、特定用途向け集積回路(Application-Specific Integrated Circuit、ASIC)、フィールド・プログラマブル・ゲート・アレイ(Field Programmable Gate Array、FPGA)または別のプログラマブル論理デバイス、トランジスタ論理デバイス、ハードウェアデバイス、またはこれらの任意の組み合わせであってもよいことが理解され得る。処理ユニット1502は、本発明において開示される内容を参照して説明される、例示の論理ブロック、モジュール、および回路を実現し、または実行し得る。その代わりに、プロセッサは、コンピューティング機能を実現する組み合わせ、たとえば、1つ以上のマイクロプロセッサの組み合わせ、またはDSPとマイクロプロセッサの組み合わせであってもよい。受信ユニット1501および送信ユニット1503はトランシーバであり得る。記憶ユニットはメモリであり得る。
【０２６８】
処理ユニット1502がプロセッサであるとき、受信ユニット1501および送信ユニット1503はトランシーバであり、記憶ユニットはメモリであり、本発明のこの実施形態におけるNFリポジトリ管理機能コンポーネントおよび第1のネットワーク要素は図16に表わされるネットワークデバイスであり得る。
【０２６９】
方法の実施形態におけるステップのすべての関連する内容が、対応する機能モジュールの機能の説明として引用され得ることが留意されるべきである。詳細はここで再び説明されない。
【０２７０】
別の態様において、本発明の実施形態は、NFコンポーネントの例外を処理するためのシステムをさらに提供する。図9に表わされるように、処理システムは、ユーザ機器、NFリポジトリ管理機能コンポーネント10、第1のNFコンポーネント20、および第2のNFコンポーネント30を含み得る。
【０２７１】
NFリポジトリ管理機能コンポーネント10、第1のNFコンポーネント20、および第2のNFコンポーネント30は、上記のデバイスと同じである。詳細はここで再び説明されない。
【０２７２】
加えて、本発明のこの実施形態において提供されるNFコンポーネントの例外を処理するためのシステムは、図3から図5、および図10から図14に表わされるNFコンポーネントの例外を処理するための方法を実現する。従って、上記のサービス送信方法において達成されるものと同じ有益な効果が達成されることができ、詳細はここで再び説明されない。
【０２７３】
便宜的で簡単な説明の目的のために、上記のシステム、装置、およびユニットの詳細な作動プロセスについて、上記の方法の実施形態における対応するプロセスを参照されたく、詳細はここで説明されないことが、この技術分野の当業者によって明確に理解され得る。
【０２７４】
この出願において提供されるいくつかの実施形態において、開示されるシステム、装置、および方法は、他の方式で実現され得ることが理解されるべきである。たとえば、説明される装置の実施形態は単に例である。たとえば、ユニットの区分は、単に論理的な機能の区分であり、実際の実装においては他の区分であってもよい。たとえば、複数のユニットまたはコンポーネントが別のシステムに組み合わされ、または統合されてもよく、または、いくつかの特徴が無視され、または実行されなくてもよい。加えて、表示され、または議論された相互の結合または直接の結合または通信接続は、いくつかのインターフェースを介して実現され得る。装置またはユニット間の間接の結合または通信接続は、電子的または他の形式で実現され得る。
【０２７５】
別々の部分として説明されたユニットは、物理的には別々であってもなくてもよく、ユニットとして表示される部分は、物理的なユニットであってもなくてもよく、1つの場所に配置されてもよく、または複数のネットワークデバイスに分散されてもよい。ユニットのいくつかまたはすべてが、実施形態の解決策の目的を達成するための実際の必要性に基づいて選択され得る。
【０２７６】
加えて、本発明の実施形態における機能ユニットは1つの処理ユニットに統合されてもよく、または、機能ユニットの各々は単独で存在してもよく、または2つ以上のユニットが1つのユニットに統合される。統合されたユニットは、ハードウェアの形式で実現されてもよく、または、ソフトウェア機能ユニットに加えてハードウェアの形式で実現されてもよい。
【０２７７】
上記の統合されたユニットがソフトウェア機能ユニットの形式で実現されるとき、統合されたユニットはコンピュータ読み取り可能な記憶媒体に記憶され得る。ソフトウェア機能ユニットは、記憶媒体に記憶され、本発明の実施形態において説明された方法のステップのいくつかを実行するようにコンピュータデバイス(パーソナルコンピュータ、サーバ、ネットワークデバイス、または同様のものであり得る)に命令するためのいくつかの命令を含む。上記の記憶媒体は、ユニバーサル・シリアル・バス(英語:Universal Serial Bus、USB)フラッシュドライブ(英語:USB flash drive)、リムーバブルハードディスク、リードオンリメモリ(英語:read-only memory、ROM)、ランダムアクセスメモリ(英語:random access memory、RAM)、磁気ディスク、または光ディスクなどの、プログラムコードを記憶することができる任意の媒体を含む。
【０２７８】
最後に、上記の実施形態は、本発明を限定するのではなく本発明の技術的解決策を説明するために意図されるのみであることが留意されるべきである。本発明は上記の実施形態を参照して詳細に説明されるが、この技術分野の当業者は、彼らが依然として、請求項の範囲から逸脱することなく、上記の実施形態において説明された技術的解決策に修正を行い、または、それらのいくつかの技術的な特徴に等価な置換を行い得ることを理解すべきである。
【符号の説明】
【０２７９】
10  NFリポジトリ管理機能コンポーネント
20  第1のNFコンポーネント
30  第2のNFコンポーネント
100  第1のNFコンポーネント
101  受信ユニット
102  判定ユニット
103  送信ユニット
104  生成ユニット
200  第2のNFコンポーネント
201  受信ユニット
202  送信ユニット
203  作成ユニット
204  検出ユニット
300  NFリポジトリ管理機能コンポーネント
301  送信ユニット
302  受信ユニット
303  検出ユニット
1011  通信インターフェース
1012  プロセッサ
1013  メモリ
1014  通信バス
1501  受信ユニット
1502  処理ユニット
1503  送信ユニット
1601  メモリ
1602  プロセッサ
1603  トランシーバ
2011  通信インターフェース
2012  プロセッサ
2013  メモリ
2014  通信バス
3011  通信インターフェース
3012    プロセッサ
3013  メモリ
3014  通信バス
【図１】
2019536369.tif 000004
【図１ａ】
2019536369.tif 000005
【図２】
2019536369.tif 000006
【図３】
2019536369.tif 000007
【図３ａ】
2019536369.tif 000008
【図３ｂ】
2019536369.tif 000009
【図４】
2019536369.tif 000010
【図５】
2019536369.tif 000011
【図６】
2019536369.tif 000012
【図７】
2019536369.tif 000013
【図８】
2019536369.tif 000014
【図９】
2019536369.tif 000015
【図１０】
2019536369.tif 000016
【図１１】
2019536369.tif 000017
【図１２】
2019536369.tif 000018
【図１３】
2019536369.tif 000019
【図１４】
2019536369.tif 000020
【図１５】
2019536369.tif 000021
【図１６】
2019536369.tif 000022
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
ネットワーク機能(NF)コンポーネントの例外を処理するための方法であって、
NFリポジトリ管理機能コンポーネントにより、代わりのNFコンポーネントを問い合わせることを要求するために、第1のネットワーク要素から第2のNFコンポーネントの集合識別子を受信するステップと、
前記NFリポジトリ管理機能コンポーネントにより、前記第2のNFコンポーネントの前記集合識別子に基づいて代わりの第3のNFコンポーネントの識別子を発見するステップであって、前記第3のNFコンポーネントおよび前記第2のNFコンポーネントが同じNFコンポーネント集合に属する、ステップと、
前記NFリポジトリ管理機能コンポーネントにより、前記第3のNFコンポーネントの前記識別子を前記第1のネットワーク要素に送信するステップと、
を備える方法。
【請求項２】
前記NFリポジトリ管理機能コンポーネントにより、前記第2のNFコンポーネントの前記集合識別子に基づいて代わりの第3のNFコンポーネントの識別子を発見する前記ステップが、
前記NFリポジトリ管理機能コンポーネントにより、前記第2のNFコンポーネントの前記集合識別子に基づいて、前記第2のNFコンポーネントが属するNFコンポーネント集合を知り、前記第2のNFコンポーネントが属する前記NFコンポーネント集合から、1つ以上のNFコンポーネントを前記代わりの第3のNFコンポーネントとして選択するステップを備える、請求項１に記載の方法。
【請求項３】
前記第1のネットワーク要素が、第1のNFコンポーネント、前記第2のNFコンポーネント、またはアクセスネットワークである、請求項１または２に記載の方法。
【請求項４】
前記方法が、前記NFリポジトリ管理機能コンポーネントにより、ネットワーク管理機能サーバまたはNFコンポーネントから登録要求メッセージを受信するステップであって、前記登録要求メッセージが、NFコンポーネントの識別子および前記NFコンポーネントの集合識別子を備える、ステップをさらに備える、請求項１から３のいずれか一項に記載の方法。
【請求項５】
前記NFコンポーネントが前記第2のNFコンポーネントおよび前記第3のNFコンポーネントを備える、請求項４に記載の方法。
【請求項６】
ネットワーク機能(NF)コンポーネントの例外を処理するための方法であって、
第1のネットワーク要素により、第2のNFコンポーネントがサービスを提供することができないことを知るステップと、
前記第1のネットワーク要素により、前記第2のNFコンポーネントの集合識別子を取得し、代わりのNFコンポーネントを問い合わせることを要求するために、前記第2のNFコンポーネントの前記集合識別子をNFリポジトリ管理機能コンポーネントに送信するステップと、
前記第1のネットワーク要素により、前記NFリポジトリ管理機能コンポーネントによって返される代わりの第3のNFコンポーネントの識別子を受信するステップであって、前記第3のNFコンポーネントおよび前記第2のNFコンポーネントが同じNFコンポーネント集合に属する、ステップと、
前記第1のネットワーク要素により、前記第3のNFコンポーネントがユーザ機器のためにサービスを提供することを決定するステップと、
を備える方法。
【請求項７】
前記第1のネットワーク要素により、前記第2のNFコンポーネントの集合識別子を取得することが、
前記第2のNFコンポーネントの前記集合識別子をローカルに取得すること、または、
前記第1のネットワーク要素により、前記第2のNFコンポーネントの前記集合識別子を搬送するメッセージを前記ユーザ機器から受信し、前記メッセージ内で搬送される前記第2のNFコンポーネントの前記集合識別子を取得すること
を備える、請求項６に記載の方法。
【請求項８】
前記第1のネットワーク要素が、第1のNFコンポーネント、前記第2のNFコンポーネント、またはアクセスネットワークである、請求項６または７に記載の方法。
【請求項９】
前記第1のネットワーク要素により、前記第3のNFコンポーネントがユーザ機器のためにサービスを提供することを決定する前記ステップが、
前記第1のネットワーク要素により、前記第2のNFコンポーネントに送信されるべき情報を取得するステップと、
前記第1のネットワーク要素により、前記第2のNFコンポーネントに送信されるべき前記情報を前記第3のNFコンポーネントに送信するステップと、
を備える、請求項６から８のいずれか一項に記載の方法。
【請求項１０】
前記第1のネットワーク要素により、前記第3のNFコンポーネントがユーザ機器のためにサービスを提供することを決定する前記ステップが、
前記第1のネットワーク要素により、前記ユーザ機器と前記第2のNFコンポーネントの間の対応関係を、前記ユーザ機器と前記第3のNFコンポーネントの間の対応関係に更新するステップを備える、請求項６から９のいずれか一項に記載の方法。
【請求項１１】
ネットワーク機能(NF)リポジトリ管理機能コンポーネントであって、
代わりのNFコンポーネントを問い合わせることを要求するために、第1のネットワーク要素から第2のNFコンポーネントの集合識別子を受信するように構成された受信ユニットと、
前記第2のNFコンポーネントの前記集合識別子に基づいて代わりの第3のNFコンポーネントの識別子を発見するように構成された処理ユニットであって、前記第3のNFコンポーネントおよび前記第2のNFコンポーネントが同じNFコンポーネント集合に属する、処理ユニットと、
前記第3のNFコンポーネントの前記識別子を前記第1のネットワーク要素に送信するように構成された送信ユニットと、
を備えるNFリポジトリ管理機能コンポーネント。
【請求項１２】
前記処理ユニットが、具体的には、前記第2のNFコンポーネントの前記集合識別子に基づいて、前記第2のNFコンポーネントが属するNFコンポーネント集合を知り、前記第2のNFコンポーネントが属する前記NFコンポーネント集合から、1つ以上のNFコンポーネントを前記代わりの第3のNFコンポーネントとして選択するように構成された、請求項１１に記載のNFリポジトリ管理機能コンポーネント。
【請求項１３】
第1のネットワーク要素であって、
第2のNFコンポーネントの集合識別子を取得するように構成された処理ユニットと、
代わりのNFコンポーネントを問い合わせることを要求するために、前記第2のNFコンポーネントの前記集合識別子をNFリポジトリ管理機能コンポーネントに送信するように構成された送信ユニットと、
前記NFリポジトリ管理機能コンポーネントによって返される代わりの第3のNFコンポーネントの識別子を受信するように構成された受信ユニットであって、前記第3のNFコンポーネントおよび前記第2のNFコンポーネントが同じNFコンポーネント集合に属する、受信ユニットと、を備え、
前記処理ユニットが、前記第2のNFコンポーネントがサービスを提供することができないことを知り、前記第3のNFコンポーネントがユーザ機器のためにサービスを提供することを決定するようにさらに構成された、第1のネットワーク要素。
【請求項１４】
前記処理ユニットが、具体的には、前記第2のNFコンポーネントの前記集合識別子をローカルに取得するように構成され、または、
前記受信ユニットが前記ユーザ機器からメッセージを受信し、前記メッセージが前記第2のNFコンポーネントの前記集合識別子を搬送するならば、前記処理ユニットが、具体的には、前記メッセージ内で搬送される前記第2のNFコンポーネントの前記集合識別子を取得するように構成された、請求項１３に記載の第1のネットワーク要素。
【請求項１５】
ネットワーク機能(NF)コンポーネントの例外を処理するための方法であって、前記方法が、ユーザ機器と、第1のNFコンポーネントと、第2のNFコンポーネントとを備えるネットワークに適用され、前記ユーザ機器が前記第1のNFコンポーネントを介して前記第2のNFコンポーネントと通信し、前記ネットワークがNFリポジトリ管理機能コンポーネントをさらに備え、前記方法が、
前記NFリポジトリ管理機能コンポーネントにより、NF発見要求メッセージを受信するステップであって、前記NF発見要求メッセージが、前記第2のNFコンポーネントが配置される前記ネットワーク内に代わりのNFコンポーネントが存在するかどうかを問い合わせるように前記NFリポジトリ管理機能コンポーネントに要求するために使用される、ステップと、
前記NFリポジトリ管理機能コンポーネントにより、前記ネットワーク内に代わりの第3のNFコンポーネントが存在することを判定するステップと、
前記NFリポジトリ管理機能コンポーネントにより、第1のメッセージを前記第1のNFコンポーネントに送信するステップであって、前記第1のメッセージが前記第3のNFコンポーネントの識別子を備え、前記第1のメッセージが、前記ユーザ機器から受信されたシグナリングを前記第3のNFコンポーネントへ送信するように前記第1のNFコンポーネントに命令するために使用される、ステップと、
を備える方法。
【請求項１６】
前記NFリポジトリ管理機能コンポーネントにより、NF発見要求メッセージを受信する前記ステップの前に、前記方法が、
前記NFリポジトリ管理機能コンポーネントにより、NF登録要求メッセージを受信するステップであって、前記NF登録要求メッセージが、前記ネットワーク内の各NFコンポーネントの識別子と、各NFコンポーネントに対応するNFタイプと、各NFコンポーネントが属する集合の識別子とを備える、ステップと、
前記NFリポジトリ管理機能コンポーネントにより、前記NF登録要求メッセージに基づいて少なくとも1つのNFコンポーネント集合を生成するステップであって、各NFコンポーネント集合がNFコンポーネントおよび前記NFコンポーネントの識別子を備え、同じNFコンポーネント集合に備えられるNFコンポーネントが同じタイプおよび集合識別子を有する、ステップと、
前記NFリポジトリ管理機能コンポーネントにより、NF登録応答メッセージを各NFコンポーネントに送信するステップと、
をさらに備える、請求項１５に記載の方法。
【請求項１７】
前記NF発見要求メッセージが、前記第2のNFコンポーネントが属する集合の識別子を備え、前記NFリポジトリ管理機能コンポーネントにより、前記ネットワーク内に代わりの第3のNFコンポーネントが存在することを判定する前記ステップが、
前記NFリポジトリ管理機能コンポーネントにより、前記少なくとも1つのNFコンポーネント集合を検索するステップと、
第1のNFコンポーネント集合が前記少なくとも1つのNFコンポーネント集合内に存在し、前記第1のNFコンポーネント集合の識別子が、前記第2のNFコンポーネントが属する前記集合の前記識別子と同じであり、前記第1のNFコンポーネント集合が前記第2のNFコンポーネント以外のNFコンポーネントを備えるならば、前記第2のNFコンポーネント以外の1つ以上のNFコンポーネントのいずれかを、前記代わりの第3のNFコンポーネントとして決定するステップと、
を備える、請求項１５または１６に記載の方法。
【請求項１８】
前記NFリポジトリ管理機能コンポーネントにより、NF発見要求メッセージを受信する前記ステップが、
前記NFリポジトリ管理機能コンポーネントにより、前記第2のNFコンポーネントからNF発見要求メッセージを受信するステップを備え、
前記NFリポジトリ管理機能コンポーネントにより、第1のメッセージを前記第1のNFコンポーネントに送信する前記ステップが、
前記NFリポジトリ管理機能コンポーネントにより、前記第2のNFコンポーネントを介してNF発見応答メッセージを前記第1のNFコンポーネントに送信するステップであって、前記NF発見応答メッセージが前記第3のNFコンポーネントの前記識別子を備える、ステップを備える、請求項１５から１７のいずれか一項に記載の方法。
【請求項１９】
ネットワーク機能(NF)コンポーネントの例外を処理するための方法であって、前記方法が、ユーザ機器と、第1のNFコンポーネントと、第2のNFコンポーネントとを備えるネットワークに適用され、前記ユーザ機器が前記第1のNFコンポーネントを介して前記第2のNFコンポーネントと通信し、前記ネットワークがNFリポジトリ管理機能コンポーネントをさらに備え、前記方法が、
前記第1のNFコンポーネントにより、前記NFリポジトリ管理機能コンポーネントから第1のメッセージを受信するステップであって、前記第1のメッセージが第3のNFコンポーネントの識別子を備え、前記第3のNFコンポーネントおよび前記第2のNFコンポーネントが同じNFコンポーネント集合に属し、同じNFコンポーネント集合内のNFコンポーネントが同じ機能を有する、ステップと、
前記第1のNFコンポーネントにより、前記ユーザ機器からシグナリングを受信するステップと、
前記第1のNFコンポーネントにより、前記第3のNFコンポーネントの前記識別子に基づいて前記シグナリングを前記第3のNFコンポーネントに送信するステップと、
を備える方法。
【請求項２０】
請求項１から１０および１５から１９のいずれかに記載の方法を実行するための命令を備えるプログラムを記憶したコンピュータ読み取り可能な記憶媒体。
【請求項２１】
コンピュータユニットによって実行されるとき、前記コンピュータユニットに、請求項１から１０および１５から１９のいずれか一項に記載の方法を実行させるコンピュータプログラムコードを備えるプログラム。
【請求項２２】
請求項１１から１２のいずれか一項に記載のネットワーク機能(NF)リポジトリ管理機能コンポーネントと、請求項１３から１４のいずれか一項に記載の第1のネットワーク要素と、を備えるシステム。
【国際調査報告】
2019536369.tif 000023
2019536369.tif 000024
2019536369.tif 000025
2019536369.tif 000026